(57)【特許請求の範囲】
【請求項１】
第１の無線アクセス技術（ＲＡＴ）と第２のＲＡＴとによって共有される周波数チャネルを介したワイヤレス通信の方法であって、
前記第２のＲＡＴを採用するデバイスによって、プリアンブル信号の複数のトレーニングフィールドを生成することと、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記周波数チャネルを介して前記プリアンブル信号を送信することと
を備え、
前記複数のトレーニングフィールドを生成することが、
第１のトレーニングフィールドと、第２のトレーニングフィールドと、第３のトレーニングフィールドとを生成することを備え、ここにおいて、前記第３のトレーニングフィールドに関連する信号が、前記第１のトレーニングフィールドに関連するシンボル期間の１／２以下である間隔で逆符号を有する、方法。
【請求項２】
第１の無線アクセス技術（ＲＡＴ）と第２のＲＡＴとによって共有される周波数チャネルを介したワイヤレス通信の方法であって、
前記第２のＲＡＴを採用するデバイスによって、プリアンブル信号の複数のトレーニングフィールドを生成することと、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記周波数チャネルを介して前記プリアンブル信号を送信することと
を備え、
前記複数のトレーニングフィールドを生成することが、
前記第２のＲＡＴに関連するシンボル期間、サブフレーム期間、またはフレーム期間のうちの少なくとも１つと、前記複数のトレーニングフィールドの第１のトレーニングフィールドまたは第２のトレーニングフィールドのうちの少なくとも１つの開始または終了のうちの少なくとも１つを整合させることを備える、方法。
【請求項３】
前記少なくとも１つの特性が、前記第２のＲＡＴに関連するデバイスタイプまたは事業者のうちの少なくとも１つを示す、請求項１または２に記載の方法。
【請求項４】
前記第１のＲＡＴが、ワイヤレスローカルエリアネットワーク（ＷＬＡＮ）ＲＡＴを備え、前記複数のトレーニングフィールドが、前記ＷＬＡＮ  ＲＡＴのためのショートトレーニングフィールド（ＳＴＦ）とロングトレーニングフィールド（ＬＴＦ）とを備え、前記第２のＲＡＴが、ロングタームエボリューション（ＬＴＥ）ＲＡＴまたはＬＴＥ無認可（ＬＴＥ−Ｕ）ＲＡＴを備える、請求項１または２に記載の方法。
【請求項５】
ワイヤレス通信の方法であって、
第１の無線アクセス技術（ＲＡＴ）と第２のＲＡＴとによって共有される周波数チャネルを介してプリアンブル信号を受信することと、前記プリアンブル信号が、複数のトレーニングフィールドを備える、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記受信されたプリアンブル信号に関連する送信機デバイスが、前記受信されたプリアンブル信号中で、前記第１のＲＡＴを採用するデバイスによる検出に関連付けられる前記信号プロパティを識別することと、前記第２のＲＡＴに関連付けられる前記少なくとも１つの特性を検出することとによって、前記第２のＲＡＴに関連付けられると決定することと
を備え、
前記少なくとも１つの特性を検出することが、
前記受信されたプリアンブル信号中で、前記第１のＲＡＴに関連する前記複数のトレーニングフィールドの第１のトレーニングフィールドと第２のトレーニングフィールドとを識別することと、
前記受信されたプリアンブル信号中で、前記第２のＲＡＴに関連する前記複数のトレーニングフィールドの第３のトレーニングフィールドを識別することと、ここにおいて、前記第３のトレーニングフィールドに関連する信号が、前記第１のトレーニングフィールドによって識別可能であるシンボル期間の因子である間隔で反転される、方法。
【請求項６】
ワイヤレス通信の方法であって、
第１の無線アクセス技術（ＲＡＴ）と第２のＲＡＴとによって共有される周波数チャネルを介してプリアンブル信号を受信することと、前記プリアンブル信号が、複数のトレーニングフィールドを備える、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記受信されたプリアンブル信号に関連する送信機デバイスが、前記受信されたプリアンブル信号中で、前記第１のＲＡＴを採用するデバイスによる検出に関連付けられる前記信号プロパティを識別することと、前記第２のＲＡＴに関連付けられる前記少なくとも１つの特性を検出することとによって、前記第２のＲＡＴに関連付けられると決定することと
を備え、
前記少なくとも１つの特性を検出することが、
前記プリアンブル信号の開始および終了のうちの少なくとも１つが前記第２のＲＡＴに関連するシンボル期間と整合されていることを検出すること、
ここにおいて、前記受信されたプリアンブル信号に関連する前記送信機デバイスが前記第２のＲＡＴに関連付けられると決定することは、前記プリアンブル信号が、前記第２のＲＡＴに関連する前記シンボル期間と整合されていると決定することを備える、
を備える、方法。
【請求項７】
前記少なくとも１つの特性に基づいて前記送信機デバイスに関連するデバイスタイプまたは事業者のうちの少なくとも１つを識別すること
をさらに備える、請求項５または６に記載の方法。
【請求項８】
第１の無線アクセス技術（ＲＡＴ）と第２のＲＡＴとによって共有される周波数チャネルを介したワイヤレス通信のための装置であって、前記装置は前記第２のＲＡＴを採用し、
プリアンブル信号の複数のトレーニングフィールドを生成するための手段と、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記周波数チャネルを介して前記プリアンブル信号を送信するための手段と
を備え、
前記複数のトレーニングフィールドを生成するための前記手段が、
第１のトレーニングフィールドと、第２のトレーニングフィールドと、第３のトレーニングフィールドとを生成するための手段、ここにおいて、前記第３のトレーニングフィールドに関連する信号が、前記第１のトレーニングフィールドに関連するシンボル期間の１／２以下である間隔で逆符号を有する、
を備える、装置。
【請求項９】
第１の無線アクセス技術（ＲＡＴ）と第２のＲＡＴとによって共有される周波数チャネルを介したワイヤレス通信のための装置であって、前記装置は前記第２のＲＡＴを採用し、
プリアンブル信号の複数のトレーニングフィールドを生成するための手段と、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記周波数チャネルを介して前記プリアンブル信号を送信するための手段と
を備え、
前記複数のトレーニングフィールドを生成するための前記手段が、
前記第２のＲＡＴに関連するシンボル期間、サブフレーム期間、またはフレーム期間のうちの少なくとも１つと、前記複数のトレーニングフィールドの第１のトレーニングフィールドまたは第２のトレーニングフィールドのうちの少なくとも１つの開始または終了のうちの少なくとも１つを整合させるための手段
を備える、装置。
【請求項１０】
前記少なくとも１つの特性が、前記第２のＲＡＴに関連するデバイスタイプまたは事業者のうちの少なくとも１つを示す、請求項８または９に記載の装置。
【請求項１１】
ワイヤレス通信のための装置であって、
第１の無線アクセス技術（ＲＡＴ）と第２のＲＡＴとによって共有される周波数チャネルを介してプリアンブル信号を受信するための手段と、前記プリアンブル信号が、複数のトレーニングフィールドを備える、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記受信されたプリアンブル信号に関連する送信機デバイスが前記第２のＲＡＴに関連付けられると決定するための手段と、ここにおいて、決定するための前記手段が、
前記受信されたプリアンブル信号中で、前記第１のＲＡＴを採用するデバイスによる検出に関連付けられる前記信号プロパティを識別するための手段と、
前記第２のＲＡＴに関連付けられる前記少なくとも１つの特性を検出するための手段と
を備え、
検出するための前記手段が、
前記受信されたプリアンブル信号中で、前記第１のＲＡＴに関連する前記複数のトレーニングフィールドの第１のトレーニングフィールドと第２のトレーニングフィールドとを識別するための手段と、
前記受信されたプリアンブル信号中で、前記第２のＲＡＴに関連する前記複数のトレーニングフィールドの第３のトレーニングフィールドを識別するための手段と、ここにおいて、前記第３のトレーニングフィールドに関連する信号が、前記第１のトレーニングフィールドによって識別可能であるシンボル期間の因子である間隔で反転される、
をさらに備える、装置。
【請求項１２】
ワイヤレス通信のための装置であって、
第１の無線アクセス技術（ＲＡＴ）と第２のＲＡＴとによって共有される周波数チャネルを介してプリアンブル信号を受信するための手段と、前記プリアンブル信号が、複数のトレーニングフィールドを備える、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記受信されたプリアンブル信号に関連する送信機デバイスが前記第２のＲＡＴに関連付けられると決定するための手段と、ここにおいて、決定するための前記手段が、
前記受信されたプリアンブル信号中で、前記第１のＲＡＴを採用するデバイスによる検出に関連付けられる前記信号プロパティを識別するための手段と、
前記第２のＲＡＴに関連付けられる前記少なくとも１つの特性を検出するための手段と
を備え、
検出するための前記手段が、前記プリアンブル信号の開始および終了のうちの少なくとも１つが前記第２のＲＡＴに関連するシンボル期間と整合されていることを検出し、
決定するための前記手段は、前記プリアンブル信号が、前記第２のＲＡＴに関連する前記シンボル期間と整合されていることに少なくとも基づいて前記受信されたプリアンブル信号に関連する前記送信機デバイスが前記第２のＲＡＴに関連付けられると決定する、装置。
【発明の詳細な説明】
【相互参照】
【０００１】
[0001]  本特許出願は、各々が本出願の譲受人に譲渡されたもので、「Ａｎ  Ｅｎｈａｎｃｅｄ  Ｐｒｅａｍｂｌｅ  Ｗａｖｅｆｏｒｍ  ｆｏｒ  Ｃｏｅｘｉｓｔｅｎｃｅ」と題して２０１５年４月２日に出願されたＬｕｏ等による米国仮特許出願第６２／１４２，３５９号、および「Ａｎ  Ｅｎｈａｎｃｅｄ  Ｐｒｅａｍｂｌｅ  Ｗａｖｅｆｏｒｍ  ｆｏｒ  Ｃｏｅｘｉｓｔｅｎｃｅ」と題して２０１６年３月２３日に出願されたＬｕｏ等による米国特許出願第１５／０７８，９０５号の優先権を主張する。
【技術分野】
【０００２】
[0002]  以下は、一般に、ワイヤレス通信に関し、より詳細には、共有周波数帯域を介した複数の無線アクセス技術（ＲＡＴ）の共存のための拡張プリアンブル波形に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数、および電力）を共有することにより、複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]  例として、ワイヤレス多元接続通信システムは、Ｗｉ−Ｆｉ（登録商標）などの第１の無線アクセス技術（ＲＡＴ）に従って動作し得、各々が複数のモバイルデバイスまたは局（ＳＴＡ）のための通信を同時にサポートするいくつかの基地局またはアクセスポイント（ＡＰ）を含み得る。ＡＰは、ダウンストリームリンクおよびアップストリームリンク上でＳＴＡと通信し得る。場合によっては、両方のタイプの通信システムは、互いの存在下で動作し得、共用リソースを使用し得る。第２のワイヤレス多元接続通信システムは、ロングタームエボリューション（ＬＴＥ（登録商標））などの第２のＲＡＴに従って動作し得、各々が別名ユーザ機器（ＵＥ）として知られる複数の通信デバイスのための通信を同時にサポートするいくつかの基地局を含み得る。基地局は、（例えば、基地局からＵＥへの送信のための）ダウンリンクチャネルと、（例えば、ＵＥから基地局への送信のための）アップリンクチャネルとの上でＵＥと通信し得る。
【０００５】
[0005]  Ｗｉ−Ｆｉなどのワイヤレスローカルエリアネットワーク（ＷＬＡＮ）中で、ＡＰは、共有無線周波数スペクトルを介して複数のＳＴＡと通信し得る。ＳＴＡは、通信リンクを確立する前に１つまたは複数の制御フレームを通信することを含む競合手順を使用し得、従って、制御フレームの交換を介した通信リンクの確認は、近くの通信デバイスが受ける干渉を制限する。そのような技法の一例としては、送信要求（ＲＴＳ）および送信可（ＣＴＳ）メッセージングがあり、ここで、例えば、別のデバイス（例えば、別のＳＴＡまたはＡＰ）と通信しようとするＳＴＡは、最初に、デバイスにＲＴＳフレームを送り得る。受信側デバイスがＲＴＳフレームを受信すると、受信側デバイスは、ＣＴＳフレームを送ることによって通信リンクを確認し得る。ＣＴＳフレームがＳＴＡによって受信された後、ＳＴＡは、次いで、受信側デバイスにデータを送信し始め得る。このようにして、ＲＴＳ／ＣＴＳメッセージングは、ＳＴＡまたはＡＰなどのデバイスを使用可能にすることによって（例えば、ＡＰまたはＳＴＡにデータを送信する前に通信経路をクリアすることによって）フレーム衝突を低減できる。
【０００６】
[0006]  ＬＴＥネットワークにおいて、基地局とＵＥとは、専用周波数スペクトルを介して、またはセルラーネットワークの無線周波数スペクトルの異なる周波数帯域（例えば、専用無線周波数帯域および共有無線周波数帯域）を介して通信し得る。専用（例えば、認可(licensed)無線周波数帯域を使用するセルラーネットワークにおけるデータトラフィックの増加とともに、少なくとも一部のデータトラフィックを共有無線周波数スペクトルにオフロードすることは、セルラー事業者に拡張データ送信容量の機会を与え得る。共有無線周波数スペクトルはまた、専用無線周波数スペクトルへのアクセスが利用不可能であるエリア中でサービスを提供し得る。共有無線周波数スペクトルを介してＬＴＥ信号波形を使用する動作は、ＬＴＥ無認可（ＬＴＥ−Ｕ：LTE-Unlicensed）動作と呼ばれることがあり、ＬＴＥ−Ｕ動作をサポートするＬＴＥデバイスは、ＬＴＥ−Ｕデバイスと呼ばれることがある。
【０００７】
[0007]  ＬＴＥ−Ｕ動作において共有無線周波数スペクトルへのアクセスを獲得し、それを介して通信する前に、基地局またはＵＥは、共有無線周波数スペクトルへのアクセスを求めて競合するために、リッスンビフォアトーク（ＬＢＴ：listen before talk）手順を行い得る。このＬＢＴ手順は、共有無線周波数スペクトルへのアクセスを獲得するためにＷｉ−Ｆｉデバイスによって使用される競合手順に適合し得る。ＬＢＴ手順は、共有無線周波数スペクトルのチャネルが利用可能であるのかどうかを決定するために、クリアチャネルアセスメント（ＣＣＡ：clear channel assessment）手順を行うことを含み得る。共有無線周波数スペクトルのチャネルが利用可能であると決定されたとき、ＬＴＥ−Ｕチャネル使用ビーコン信号（ＣＵＢＳ：channel usage beacon signal）が、チャネルを予約するために送信され得る。様々なＵＥまたは基地局が、ＣＵＢＳを受信し、復号し、競合手順を中止し得、一方、ＳＴＡまたはＡＰは、共有チャネルを監視し、エネルギー検出を使用して、ＣＵＢＳが送信されたと決定し得る。ＣＵＢＳを識別した後に、他の基地局またはＵＥは、送信ＵＥによって使用されていない共有チャネル上のリソースを利用し得る。検出されたエネルギーがしきい値を上回ると決定した後に、Ｗｉ−Ｆｉデバイスは、ある時間期間の間第１のチャネル上で送信するのを控え得る。しかしながら、共有チャネル上の他のＷｉ−Ｆｉデバイスは、ＣＵＢＳのエネルギーがしきい値を満たさないと決定し得るか、またはＣＵＢＳをまったく受信しないことがある。従って、これらの他のＷｉ−Ｆｉデバイスは、基地局またはＵＥの、チャネルの予約および使用に干渉する形で、チャネル、あるいは１つまたは複数の干渉チャネル（例えば、重複または隣接チャネル）を使用し続け得る。
【０００８】
[0008]  いくつかの例では、Ｗｉ−Ｆｉデバイスのエネルギー検出回路は、Ｗｉ−Ｆｉ送信（例えば、Ｗｉ−ＦｉプリアンブルまたはＷｉ−Ｆｉパケット（例えば、自局宛てＣＴＳ（CTS-to-Self）パケットなど））を検出するために使用される信号受信および復号回路よりも敏感でないことがある。従って、基地局またはＵＥは、Ｗｉ−Ｆｉデバイスによって理解されるチャネル予約指示を送信し得る。このようにして送信されるチャネル予約指示は、ＣＵＢＳのエネルギーレベルが検出可能でないことがあるシナリオでＷｉ−Ｆｉデバイスによって検出され得る。但し、ＬＴＥ−Ｕデバイスが、Ｗｉ−Ｆｉプリアンブルを送信する場合、範囲内の他のＬＴＥ−Ｕデバイスは、ＬＴＥ−Ｕデバイスから送られたチャネル予約インジケータと、Ｗｉ−Ｆｉデバイスから送られたＷｉ−Ｆｉプリアンブルとを区別できないことがあり、これは、ＬＴＥ−Ｕデバイス間のリソースおよび干渉管理を制限し得る。従って、共有周波数帯域を介したＷｉ−ＦｉデバイスとＬＴＥ−Ｕデバイスとの間の共存は多くの課題を提示する。
【発明の概要】
【０００９】
[0009]  ＬＴＥ−Ｕデバイスは、ＬＴＥ−Ｕデバイスおよび／またはＷＬＡＮデバイスによって検出可能である追加の特性を伝達すること(conveying)に加えて、ＷＬＡＮデバイスによって理解され得る拡張プリアンブルを送信し得る。いくつかの例では、ＬＴＥ−Ｕデバイスは、第１のトレーニングフィールドと第２のトレーニングフィールドとを生成することによって拡張プリアンブルを生成し得る。一例では、拡張プリアンブル信号は、ＬＴＥ−Ｕデバイスによって使用される無線アクセス技術（ＲＡＴ）を示すプリアンブルの第１のトレーニングフィールドと第２のトレーニングフィールドとの間の位相シフトを含み得る。追加または代替として、拡張プリアンブル信号は、ＬＴＥ−Ｕデバイスによって使用されるＲＡＴを示す第１のトレーニングフィールドまたは第２のトレーニングフィールドのシーケンスまたはトーンマッピングを含み得る。場合によっては、ＬＴＥ−Ｕデバイスは、ＲＡＴを示すプリアンブルに追加のトレーニングフィールドをもたらし得る。ＬＴＥ−Ｕデバイスは、さらに、ＬＴＥ−Ｕ境界と一致する間隔で拡張プリアンブルを送信し得る。ＬＴＥ−Ｕデバイスは、ＷＬＡＮプリアンブルプロパティが保持されるように拡張プリアンブルを生成し得る。場合によっては、拡張プリアンブルは、受信ＬＴＥ−ＵデバイスまたはＷＬＡＮデバイスにＬＴＥ−Ｕ固有の特性を伝達し得る。
【００１０】
[0010]  ワイヤレス通信の方法について説明する。本方法は、第２のＲＡＴを採用するデバイスによって、プリアンブル信号の複数のトレーニングフィールドを生成することを含み得る。複数のトレーニングフィールドのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本方法はまた、周波数チャネルを介してプリアンブル信号を送信することを含み得る。
【００１１】
[0011]  ワイヤレス通信のための装置について説明する。本装置は、プリアンブル信号の複数のトレーニングフィールドを生成するための手段を含み得る。複数のトレーニングフィールドのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本装置はまた、周波数チャネルを介してプリアンブル信号を送信するための手段を含み得る。
【００１２】
[0012]  さらなる装置について説明する。本装置は、プロセッサと、プロセッサと電子通信しているメモリと、メモリに記憶された命令とを含み得る。本命令は、プロセッサによって実行されたとき、本装置に、プリアンブル信号の複数のトレーニングフィールドを生成することをさせるように動作可能であり得る。複数のトレーニングフィールドのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本命令は、さらに、本装置に、周波数チャネルを介してプリアンブル信号を送信することをさせるように実行可能であり得る。
【００１３】
[0013]  ワイヤレス通信のための非一時的コンピュータ可読媒体について説明する。非一時的コンピュータ可読媒体は、ワイヤレス通信のためのコードを記憶し得る。本コードは、本装置に、プリアンブル信号の複数のトレーニングフィールドを生成することをさせるように実行可能な命令を含み得る。トレーニングフィールドのセットのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本コードは、本装置に、周波数チャネルを介してプリアンブル信号を送信することをさせるように実行可能な命令を含み得る。
【００１４】
[0014]  上述した方法、装置、または非一時的コンピュータ可読媒体のいくつかの例では、少なくとも１つの特性は、トレーニングフィールドのセットの第１のトレーニングフィールドと第２のトレーニングフィールドとの間の位相シフトを備える。上述した方法、装置、または非一時的コンピュータ可読媒体のいくつかの例では、少なくとも１つの特性は、トレーニングフィールドのセットの第１のトレーニングフィールドまたは第２のトレーニングフィールドのうちの少なくとも１つに関連するシーケンスまたはトーンマッピングのうちの少なくとも１つを備える。
【００１５】
[0015]  上述した方法、装置、または非一時的コンピュータ可読媒体のいくつかの例では、トレーニングフィールドのセットを生成することは、第１のトレーニングフィールドと、第２のトレーニングフィールドと、第３のトレーニングフィールドとを生成することを備える。第３のトレーニングフィールドに関連する信号は、第１のトレーニングフィールドに関連するシンボル期間の１／２以下である間隔で逆符号を有する。上述した方法、装置、または非一時的コンピュータ可読媒体のいくつかの例では、トレーニングフィールドのセットを生成することは、第２のＲＡＴに関連するシンボル期間、サブフレーム期間、またはフレーム期間のうちの少なくとも１つと、トレーニングフィールドのセットの第１のトレーニングフィールドまたは第２のトレーニングフィールドのうちの少なくとも１つの開始または終了のうちの少なくとも１つを整合させることを備える。
【００１６】
[0016]  上述した方法、装置、または非一時的コンピュータ可読媒体のいくつかの例では、少なくとも１つの特性は、第２のＲＡＴに関連するデバイスタイプまたは事業者のうちの少なくとも１つを示す。上述した方法、装置、または非一時的コンピュータ可読媒体のいくつかの例では、第１のＲＡＴは、ＷＬＡＮ  ＲＡＴを備え、トレーニングフィールドのセットは、ＷＬＡＮ  ＲＡＴのためのショートトレーニングフィールド（ＳＴＦ）とロングトレーニングフィールド（ＬＴＦ）とを備える。第２のＲＡＴは、ＬＴＥ  ＲＡＴまたはＬＴＥ−Ｕ  ＲＡＴを備え得る。
【００１７】
[0017]  ワイヤレス通信の方法について説明する。本方法は、第１のＲＡＴと第２のＲＡＴとによって共有される周波数チャネルを介してプリアンブル信号を受信することを含み得る。プリアンブル信号は、複数のトレーニングフィールドを備え得る。複数のトレーニングフィールドのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本方法はまた、受信されたプリアンブル信号に関連する送信機デバイスが、受信されたプリアンブル信号中で、第１のＲＡＴを採用するデバイスによる検出に関連付けられる信号プロパティを識別することと、第２のＲＡＴに関連付けられる少なくとも１つの特性を検出することとによって、第２のＲＡＴに関連付けられると決定することを含み得る。
【００１８】
[0018]  ワイヤレス通信のための装置について説明する。本装置は、第１のＲＡＴと第２のＲＡＴとによって共有される周波数チャネルを介してプリアンブル信号を受信するための手段を含み得る。プリアンブル信号は、複数のトレーニングフィールドを備え得る。複数のトレーニングフィールドのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本装置はまた、受信されたプリアンブル信号に関連する送信機デバイスが、受信されたプリアンブル信号中で、第１のＲＡＴを採用するデバイスによる検出に関連付けられる信号プロパティを識別することと、第２のＲＡＴに関連付けられる少なくとも１つの特性を検出することとによって、第２のＲＡＴに関連付けられると決定するための手段を含み得る。
【００１９】
[0019]  さらなる装置について説明する。本装置は、プロセッサと、プロセッサと電子通信しているメモリと、メモリに記憶された命令とを含み得る。本命令は、プロセッサによって実行されたとき、本装置に、第１のＲＡＴと第２のＲＡＴとによって共有される周波数チャネルを介してプリアンブル信号を受信することをさせるように動作可能であり得る。プリアンブル信号は、複数のトレーニングフィールドを備え得る。複数のトレーニングフィールドのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本命令は、さらに、本装置に、受信されたプリアンブル信号に関連する送信機デバイスが、受信されたプリアンブル信号中で、第１のＲＡＴを採用するデバイスによる検出に関連付けられる信号プロパティを識別することと、第２のＲＡＴに関連付けられる少なくとも１つの特性を検出することとによって、第２のＲＡＴに関連付けられると決定することをさせるように実行可能であり得る。
【００２０】
[0020]  ワイヤレス通信のための非一時的コンピュータ可読媒体について説明する。本非一時的コンピュータ可読媒体は、装置に、第１のＲＡＴと第２のＲＡＴとによって共有される周波数チャネルを介してプリアンブル信号を受信することをさせるように実行可能な命令を備えるコードを含み得る。プリアンブル信号は、トレーニングフィールドのセットを備え得る。トレーニングフィールドのセットのうちの１つまたは複数は、第１のＲＡＴを採用するデバイスによる検出に関連付けられる信号プロパティを有し得る。プリアンブル信号は、第２のＲＡＴに関連付けられる少なくとも１つの特性を伝達し得る。本コードは、さらに、本装置に、受信されたプリアンブル信号に関連する送信機デバイスが、受信されたプリアンブル信号中で、第１のＲＡＴを採用するデバイスによる検出に関連付けられる信号プロパティを識別することと、第２のＲＡＴに関連付けられる少なくとも１つの特性を検出することとによって、第２のＲＡＴに関連付けられると決定することをさせるように実行可能な命令を含み得る。
【００２１】
[0021]  上述した方法、装置、または非一時的コンピュータ可読媒体のいくつかの例では、少なくとも１つの特性を検出することは、受信されたプリアンブル信号中で、第２のＲＡＴによって識別可能であるトレーニングフィールドのセットの第１のトレーニングフィールドと第２のトレーニングフィールドとの間の位相シフトを検出することを備える。上述した方法、装置、または非一時的コンピュータ可読媒体のいくつかの例では、少なくとも１つの特性は、第２のＲＡＴによって識別可能であるトレーニングフィールドのセットの第１のトレーニングフィールドと第２のトレーニングフィールドとのうちの少なくとも１つに関連するシーケンスまたは第２のＲＡＴによって識別可能である第１のトレーニングフィールドと第２のトレーニングフィールドとのうちの少なくとも１つに関連するトーンマッピングのうちの少なくとも１つを備える。
【００２２】
[0022]  上述した方法、装置、または非一時的コンピュータ可読媒体のいくつかの例では、少なくとも１つの特性を検出することは、受信されたプリアンブル信号中で、第１のＲＡＴに関連するトレーニングフィールドのセットの第１のトレーニングフィールドと第２のトレーニングフィールドとを識別することを備える。上述した方法、装置、または非一時的コンピュータ可読媒体のいくつかの例としては、さらに、受信されたプリアンブル信号中で、第２のＲＡＴに関連するトレーニングフィールドのセットの第３のトレーニングフィールドを識別するためのプロセス、特徴、手段、または命令、ここで、第３のトレーニングフィールドに関連する信号は、第１のトレーニングフィールドによって識別可能であるシンボル期間の因子である間隔で反転される、があり得る。
【００２３】
[0023]  上述した方法、装置、または非一時的コンピュータ可読媒体のいくつかの例としては、さらに、プリアンブル信号の開始および終了のうちの少なくとも１つが第２のＲＡＴに関連するシンボル期間と整合されている(aligned)ことを検出することによって少なくとも１つの特性を検出するためのプロセス、特徴、手段、または命令があり得る。受信されたプリアンブル信号に関連する送信機デバイスが第２のＲＡＴに関連付けられると決定することは、プリアンブル信号が、第２のＲＡＴに関連するシンボル期間と整合されていると決定することを含み得る。上述した方法、装置、または非一時的コンピュータ可読媒体のいくつかの例としては、さらに、少なくとも１つの特性に基づいて送信機デバイスに関連するデバイスタイプまたは事業者のうちの少なくとも１つを識別するためのプロセス、特徴、手段、または命令があり得る。
【００２４】
[0024]  開示する概念および具体例は、本開示の同じ目的を果たすための他の構造を修正または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的でのみ与えられるものであり、特許請求の範囲の制限の定義として与えられるものではない。
【００２５】
[0025]  以下の図面を参照することにより、本開示の本質および利点のより一層の理解が実現され得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００２６】
【図１】本開示の様々な態様による、共存のためのプリアンブル波形をサポートするワイヤレス通信システムの一例を示す図。
【図２】本開示の様々な態様による、共存のための拡張プリアンブル波形をサポートするワイヤレス通信サブシステムの一例を示す図。
【図３Ａ】本開示の様々な態様による、共存のための拡張プリアンブルの一例を示す図。
【図３Ｂ】本開示の様々な態様による、共存のための拡張プリアンブルの一例を示す図。
【図３Ｃ】本開示の様々な態様による、共存のための拡張プリアンブルの一例を示す図。
【図４】本開示の様々な態様による、共存のための拡張プリアンブルのための送信タイミングの一例を示す図。
【図５】本開示の様々な態様による、共存のための拡張プリアンブル波形をサポートするワイヤレスデバイスのブロック図。
【図６】本開示の様々な態様による、共存のための拡張プリアンブル波形をサポートするワイヤレスデバイスのブロック図。
【図７】本開示の様々な態様による、共存のための拡張プリアンブル波形をサポートするワイヤレスデバイスのブロック図。
【図８】本開示の様々な態様による、共存のための拡張プリアンブル波形をサポートするワイヤレスデバイスのブロック図。
【図９】本開示の様々な態様による、共存のための拡張プリアンブル波形をサポートするデバイスを含むシステムのブロック図。
【図１０】本開示の様々な態様による、共存のための拡張プリアンブル波形をサポートする基地局を含むシステムのブロック図。
【図１１】本開示の様々な態様による、共存のための拡張プリアンブル波形のための方法を示す図。
【図１２】本開示の様々な態様による、共存のための拡張プリアンブル波形のための方法を示す図。
【詳細な説明】
【００２７】
[0038]  本開示によれば、ロングタームエボリューション無認可デバイス（ＬＴＥ−Ｕ）は、共有スペクトル周波数帯域のチャネルを共有するＬＴＥ−Ｕデバイスとワイヤレスローカルエリアネットワーク（ＷＬＡＮ）デバイスとの間の共存を改善し得る拡張プリアンブルを使用してチャネル予約を行い得る。共有無線周波数スペクトル帯域は、例えば、無認可無線周波数スペクトル帯域、２つ以上の認可事業者を有する認可無線周波数スペクトル帯域、または認可無線周波数スペクトル帯域のリソースの日和見共有(opportunistic sharing)を提供する認可無線周波数スペクトル帯域であり得る。様々な態様によれば、ＬＴＥ−Ｕデバイスは、関連する送信がＬＴＥ−Ｕベースの送信となることになることを示す特性をも含むＷＬＡＮデバイスによって検出可能な拡張プリアンブルを生成し得る。特性は、位相シフト、シーケンスマッピング、追加のフィールド、またはＬＴＥ境界との整合であり得る。拡張プリアンブルは、ＷＬＡＮデバイスによって送信されたＷＬＡＮプリアンブルに関して変更され得る。拡張プリアンブルは、ＬＴＥ−Ｕデバイスによって検出可能であることに加えて、ＷＬＡＮデバイスが拡張プリアンブルを受信し得るようにＷＬＡＮプロパティを保持し得る。ＬＴＥ−Ｕデバイスは、プリアンブルのソース（例えば、別のＬＴＥ−Ｕデバイス）を決定し、他のＬＴＥ−Ｕ固有の特性を学習するために特性の検出を使用し得る。本開示のこれらおよび他の態様を、さらに、装置図、システム図、およびフローチャートによって示し、それらを参照しながら説明する。
【００２８】
[0039]  図１に、本開示の様々な態様による、ワイヤレス通信システム１００の一例を示す。ワイヤレス通信システム１００は、基地局１０５と、少なくとも１つのユーザ機器（ＵＥ）１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースする。基地局１０５は、ＵＥ１１５との通信のための無線構成およびスケジューリングを行い得るか、または基地局コントローラ（図示せず）の制御下で動作し得る。様々な例では、基地局１０５は、ワイヤードまたはワイヤレス通信リンクであり得るバックホールリンク１３４（例えば、Ｘ１など）を介して、直接的または間接的のいずれかで（例えば、コアネットワーク１３０を通して）、互いに通信し得る。
【００２９】
[0040]  基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（例えば、マクロセル基地局またはスモールセル基地局）を含み得る。異なる技術のための重複する地理的カバレージエリア１１０があり得る。
【００３０】
[0041]  いくつかの例では、ワイヤレス通信システム１００はＬＴＥ／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、または他のタイプのセルに通信カバレージを与え得る。「セル」という用語は、状況に応じて、基地局、基地局に関連付けられたキャリアもしくはコンポーネントキャリア、またはキャリアもしくは基地局のカバレージエリア（例えば、セクタなど）を記述するために使用され得る３ＧＰＰ（登録商標）用語である。
【００３１】
[0042]  マクロセルは、一般に、比較的大きい地理的エリア（例えば、半径数キロメートル）をカバーし、ネットワークプロバイダのサービスに加入しているＵＥ１１５による無制限アクセスを可能にし得る。スモールセルは、マクロセルと比較して、同じまたは異なる（例えば、認可、無認可などの）周波数帯域内でマクロセルとして動作し得る低電力基地局である。スモールセルは、様々な例によれば、ピコセル、フェムトセル、およびマイクロセルを含み得る。ピコセルは、例えば、小さい地理的エリアをカバーし得、ネットワークプロバイダのサービスに加入しているＵＥ１１５による無制限アクセスを可能にし得る。また、フェムトセルは、小さい地理的エリア（例えば、自宅）をカバーし得、フェムトセルとの関連を有するＵＥ１１５（例えば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（例えば、２つ、３つ、４つなどの）セル（例えば、コンポーネントキャリア）をサポートし得る。
【００３２】
[0043]  ワイヤレス通信システム１００は同期動作または非同期動作をサポートし得る。同期動作の場合、基地局１０５は同様のフレームタイミングを有し得、異なる基地局１０５からの送信は時間的に近似的に整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【００３３】
[0044]  様々な開示される例のうちのいくつかに適応し得る通信ネットワークは、階層化プロトコルスタックに従って動作するパケットベースネットワークであり得、ユーザプレーン中のデータはＩＰに基づき得る。無線リンク制御（ＲＬＣ）レイヤが、論理チャネルを介して通信するためにパケットセグメンテーションおよびリアセンブリを行い得る。媒体アクセス制御（ＭＡＣ）レイヤが、優先度処理と、トランスポートチャネルへの論理チャネルの多重化とを行い得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ）プロトコルレイヤは、ＵＥ１１５と基地局１０５との間のＲＲＣ接続の確立と構成と維持とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３４】
[0045]  ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３５】
[0046]  ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は、順方向リンク送信と呼ばれることもあり、アップリンク送信は、逆方向リンク送信と呼ばれることもある。各通信リンク１２５は１つまたは複数のキャリアを含み得、ここで、各キャリアは、上述された様々な無線技術に従って変調された複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。通信リンク１２５は、周波数分割複信（ＦＤＤ）動作を使用して（例えば、対スペクトルリソースを使用して）または時分割複信（ＴＤＤ）動作を使用して（例えば、不対スペクトルリソースを使用して）双方向通信を送信し得る。ＦＤＤ（例えば、フレーム構造タイプ１）およびＴＤＤ（例えば、フレーム構造タイプ２）のためのフレーム構造が定義され得る。
【００３６】
[0047]  ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３７】
[0048]  ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３８】
[0049]  いくつかの例では、ワイヤレス通信システム１００は、第１の無線アクセス技術（例えば、Ｗｉ−Ｆｉ技術）に従って動作するが、第２の無線アクセス技術（例えば、ＬＴＥ／ＬＴＥ−Ａ技術など、セルラー無線アクセス技術）に従って動作する１つまたは複数のネットワークまたはノードの存在下で動作し得る。例として、図１に、Ｗｉ−Ｆｉ局（ＳＴＡ）１５５と通信しているＷｉ−Ｆｉアクセスポイント（ＡＰ）１５０を含むネットワークを示す。いくつかの例では、ＵＥ１１５または基地局１０５は、Ｗｉ−Ｆｉによって使用される無認可帯域中でのＬＴＥ−Ｕ動作をサポートし得る。分かりやすくするために、ＬＴＥ−Ｕ対応デバイスを、基地局１０５またはＵＥ１１５と呼ぶことにし、非ＬＴＥ−Ｕ対応デバイスを、ＡＰ１５０またはＳＴＡ１５５と呼ぶことにする。但し、ＳＴＡ１５５またはＡＰ１５０が、ＬＴＥをサポートするＷｉ−Ｆｉデバイスであり得るが、ＬＴＥ−Ｕ動作のために構成されないことがあることを理解されたい。
【００３９】
[0050]  ＳＴＡ１５５またはＡＰ１５０などのＷｉ−Ｆｉデバイスは、プリアンブルに関連するいくつかの信号プロパティを使用することによってＷｉ−Ｆｉプリアンブルを識別し得る。場合によっては、Ｗｉ−Ｆｉプリアンブルは、レガシーショートトレーニングフィールド（Ｌ−ＳＴＦ）とレガシーロングトレーニングフィールド（Ｌ−ＬＴＦ）とを含み得る。いくつかの例では、Ｌ−ＳＴＦは、ショートトレーニングシンボルの１０回繰返しを含み得る。各ショートトレーニングシンボルは、０．８μｓの周期性を有し得、従って、Ｌ−ＳＴＦは、時間的に８μｓであり得る。Ｌ−ＳＴＦは、初期周波数を決定するための自動利得制御（ＡＧＣ）のために使用され、タイミング推定のために使用され得る。Ｌ−ＳＴＦシンボルは、周波数領域シーケンスとＮポイント逆高速フーリエ変換（ＩＦＦＴ）とを使用して生成され得る。例えば、複素数値のシーケンスは、５２個の利用可能なサブキャリアのうちの１２個にマッピングされ得る。次いで、６４ポイントＩＦＦＴがシーケンスに適用され、４回繰り返す（すなわち、０．８μｓの周期性をもつ）パターンをもつ３．２μｓのシーケンスを生じ得る。シーケンスは、１０回のショートシンボル繰返しを作成するために２回半繰り返され得る。Ｗｉ−Ｆｉデバイスは、前のシンボルを後続のシンボルと相関（例えば、自己相関）させるためにＬ−ＳＴＦの繰返し性質を使用し得、相関係数は、次いで、Ｗｉ−Ｆｉプリアンブルを検出するために使用され得る。
【００４０】
[0051]  例えば、Ｗｉ−Ｆｉデバイスは、４０ＭＨｚのサンプリング周波数で受信信号をサンプリングし得る。Ｗｉ−Ｆｉデバイスは、自己相関のために１つのＬ−ＳＴＦシンボル期間（例えば、０．８μｓ）に等しい時間シフトおよび蓄積窓を決定し得る。Ｗｉ−ＦｉデバイスがＷｉ−Ｆｉプリアンブルを受信するとき、時間シフトおよび累積窓に従ってＬ−ＳＴＦを自己相関することは、高い自己相関ファクタ（例えば、約１）をもたらし得る。場合によっては、自己相関ファクタがしきい値よりも大きい場合、Ｗｉ−Ｆｉデバイスは、Ｗｉ−Ｆｉプリアンブルが検出されたと決定し得る。
【００４１】
[0052]  Ｌ−ＬＴＦは、Ｌ−ＳＴＦに続き得、最大５２個のサブキャリアを利用し得、やはり時間的に８μｓ持続し得る。Ｌ−ＬＴＦは、１．６μｓのサイクリックプレフィックスによってプリペンドされる２つの３．２μｓのロングトレーニングシンボルを採用し得る。サイクリックプレフィックスは、ロングトレーニングシンボルの後半からなり得る。Ｌ−ＬＴＦは、チャネル予約のために使用され、周波数オフセットおよびチャネル推定値を決定するために使用され得る。Ｗｉ−Ｆｉプリアンブルはまた、Ｌ−ＬＴＦに続き得るレガシー信号（Ｌ−ＳＩＧ）フィールドを含み得る。Ｌ−ＳＩＧフィールドは、２４個の情報ビットを含み得、３．２μｓのシンボルと０．８μｓのサイクリックプレフィックスとを含み、合計４μｓ持続し得る。Ｌ−ＳＩＧフィールドは、５２個のサブキャリアを使用し得、それらのうちの４８個がコード化ビットのためのものであり、それらのうちの４つがパイロット信号のためのものである。Ｌ−ＳＩＧフィールドは、変調およびコーディング方式（ＭＣＳ）と通信されるべきデータの長さとを通信することによって受信機を構成するために使用され得る。Ｌ−ＳＩＧフィールドはまた、データフィールドが復号される前にエンコーダおよびデコーダをフラッシングするためにパリティビットとテールビットとを含み得る。場合によっては、追加のプリアンブルフィールドは、Ｌ−ＳＩＧフィールドに続き得る。例えば、新しいＷｉ−Ｆｉ特徴は、高スループット（ＨＴ：high throughput）信号フィールド、ＨＴ−ＳＩＧ１およびＨＴ−ＳＩＧ２（例えば、８０２．１１ｎ）、または超高スループット（ＶＨＴ：very high throughput）信号フィールド、ＶＨＴ−ＳＩＧ１およびＶＨＴ−ＳＩＧ２（例えば、８０２．１１ａｃ）、を含むプリアンブルによってサポートされ得る。これらのフィールドは、これらのＷｉ−Ｆｉ技術を使用した送信に関係する追加情報を搬送するために使用され得る。
【００４２】
[0053]  共有チャネル（例えば、共有無線周波数スペクトル帯域のチャネル）を介して送信する前に、基地局１０５またはＵＥ１１５は、共有チャネルが利用可能であるのかどうかを決定するためにクリアチャネルアセスメント（ＣＣＡ）手順を行い得る。基地局１０５またはＵＥ１１５は、チャネルが利用可能であると決定する場合、チャネルを予約するためにＬＴＥ固有のプリアンブル（例えば、チャネル使用ビーコン信号（ＣＵＢＳ）など）を送信し得る。他のＬＴＥ−Ｕデバイスは、ＣＵＢＳを受信し、復号し得るが、Ｗｉ−Ｆｉデバイスは、ＣＵＢＳを識別するためにエネルギー検出を使用し得る。ＣＵＢＳ送信を識別するデバイスは、相応して、それらが媒体へのアクセスを求めて競合しないバックオフ手順に入り得る。いくつかの例では、エネルギー検出を使用したＣＵＢＳの検出は、Ｗｉ−Ｆｉプリアンブルのプリアンブル検出よりも、Ｗｉ−Ｆｉデバイスにおいて著しく強い受信エネルギーを必要とし得、これは、上述したＷｉ−Ｆｉプリアンブルフィールドのプロパティ（例えば、周波数応答、周期、自己相関など）を使用し得る。従って、Ｗｉ−ＦｉプリアンブルがＷｉ−Ｆｉデバイスによって検出されるように、ＬＴＥ−Ｕデバイスは、送信されるＣＵＢＳ中に（例えば、ＣＵＢＳより前に）Ｗｉ−Ｆｉプリアンブルを含め得る。これは、ＣＵＢＳの範囲を増加させ得るが、他のＬＴＥ−Ｕデバイスは、Ｗｉ−Ｆｉデバイスから送られたプリアンブルとＬＴＥ−Ｕデバイスから送られたプリアンブルとを区別できないことがある。
【００４３】
[0054]  従って、ＵＥ１１５または基地局１０５などのＬＴＥ−Ｕデバイスは、受信ＬＴＥ−Ｕデバイスによって検出可能である追加の特性を伝達することに加えて、ＳＴＡ１５５またはＡＰ１５０などのＷｉ−Ｆｉデバイスによって理解され得る拡張プリアンブルを送信し得る。拡張プリアンブルは、Ｗｉ−Ｆｉデバイスによるプリアンブルの検出を容易にする信号プロパティ（例えば、自己相関プロパティ）を保持し得る。拡張プリアンブルはまた、ＬＴＥ−Ｕを示す特性を含み得る。一例では、特性は、プリアンブルの第１のトレーニングフィールドと第２のトレーニングフィールドとの間の位相シフトである。位相シフトは、Ｗｉ−Ｆｉデバイスによって送信されたプリアンブル信号の一部である第１のトレーニングフィールドと第２のトレーニングフィールドとの位相に対して相対的であり得る。追加または代替として、特性は、第１のトレーニングフィールドまたは第２のトレーニングフィールドのシーケンスまたはトーンマッピングであり得る。場合によっては、デバイスは、特性の役目を果たすためにＷｉ−Ｆｉプリアンブルに追加のトレーニングフィールドをもたらし得る。ＬＴＥ−Ｕデバイスは、さらに、ＬＴＥ−Ｕタイミング境界と一致する間隔でプリアンブルを送信し得る。
【００４４】
[0055]  変更(modifications)は、Ｌ−ＳＴＦの周波数応答または繰返し性質などのＷｉ−Ｆｉ固有のプロパティを維持しながら受信ＬＴＥ−ＵデバイスまたはＷｉ−ＦｉデバイスにＬＴＥ−Ｕ固有の特性を伝達するために使用され得る。ＬＴＥ−Ｕデバイスは、拡張プリアンブルを送信し得、これは、Ｗｉ−ＦｉデバイスとＬＴＥ−Ｕデバイスとの両方によって受信され得る。受信Ｗｉ−ＦｉおよびＬＴＥ−Ｕデバイスは、保持されたＷｉ−Ｆｉプロパティに基づいて拡張プリアンブルを検出し得る。受信ＬＴＥ−ＵデバイスまたはＷｉ−Ｆｉデバイスは、次いで、受信されたプリアンブルが拡張プリアンブルであるのかどうかを決定するために信号をさらに処理し得る。受信デバイスは、次いで、デバイスタイプまたは関連する事業者（例えば、パブリックランドモバイルネットワーク（ＰＬＭＮ）など）などの他のプロパティを学習することに加えて、拡張プリアンブルがＬＴＥ−Ｕデバイスによって送信されたと決定するために変更(modification)を使用し得る。場合によっては、ＬＴＥ−ＵデバイスまたはＷｉ−Ｆｉデバイスは、決定に応答して様々なステップを行うために、送信タイプの決定（例えば、プリアンブルを送信するデバイスによって使用されるプロトコルの決定など）を使用し得る。例えば、Ｗｉ−Ｆｉデバイスは、受信されたプリアンブルがＬＴＥ−Ｕデバイスによって送信されたと決定し、決定を、ＬＴＥ−Ｕデバイスからの通信のさらなる処理を回避するか、または干渉消去を行うために使用し得る。
【００４５】
[0056]  図２に、本開示の様々な態様による、共存のためのワイヤレス通信環境２００の一例を示す。基地局１０５−ａと、ＵＥ１１５−ａと、ＵＥ１１５−ｂとは、通信リンク２０５を介して専用スペクトル（例えば、認可スペクトル）、共有スペクトル（例えば、無認可スペクトル）、またはその両方を使用して互いに通信し得る。ＡＰ１５０−ａとＳＴＡ１５５−ａとは、ＷＬＡＮ通信リンク２１０を介して共有スペクトルを使用して互いに通信し得る。一例では、図１を参照しながら上述したように、ＵＥ１１５−ａ、ＵＥ１１５−ｂ、および基地局１０５−ａは、ＬＴＥ−Ｕ対応デバイスであり得、ＳＴＡ１５５−ａ、ＳＴＡ１５５−ｂ、およびＡＰ１５０−ａは、Ｗｉ−Ｆｉデバイスであり得る。
【００４６】
[0057]  一例では、ＵＥ１１５−ａは、共有スペクトルが送信のために利用可能であるのかどうかを決定するためにＣＣＡを行い得る。成功したＣＣＡの後に、ＵＥ１１５−ａは、いくつかのトレーニングフィールド（例えば、ショートトレーニングフィールドおよびロングトレーニングフィールド）を含む拡張Ｗｉ−Ｆｉプリアンブルを生成し得る。ＵＥ１１５−ａは、いくつかの技法を使用した拡張プリアンブルを生成し得る。例えば、ＵＥ１１５−ａは、ショートトレーニングフィールドとロングトレーニングフィールドとの間の位相シフトをもつ拡張プリアンブルを生成し得る。追加または代替として、ＵＥ１１５−ａは、ＬＴＥ−Ｕを示すショート（またはロングトレーニングフィールド）のシーケンスおよび／またはトーンマッピングをもつ拡張プリアンブルを生成し得る。場合によっては、ＵＥ１１５−ａは、拡張Ｗｉ−Ｆｉプリアンブル中に含まれる追加のトレーニングフィールド（例えば、第３のトレーニングフィールド）を生成し得る。ＵＥ１１５−ａはまた、ＬＴＥ−Ｕタイミング境界（例えば、シンボル、サブフレーム、フレーム境界など）とＷｉ−Ｆｉタイミング境界（例えば、Ｌ−ＳＴＦ、Ｌ−ＬＴＦ、またはＬ−ＳＩＧフィールドの開始または終了）を整合させ得る。これらの特性の各々は、Ｗｉ−Ｆｉプリアンブルと拡張プリアンブルとを区別することに加えて、ＬＴＥ−Ｕ固有の情報（例えば、デバイスタイプ、事業者など）を伝達し得る。拡張プリアンブルを生成した後に、ＵＥ１１５−ａは、共有スペクトルを介して拡張プリアンブルを送信し得る。
【００４７】
[0058]  ＡＰ１５０−ａおよびＳＴＡ１５５−ａなどのＷｉ−Ｆｉデバイスは、拡張プリアンブルを受信し、検出し得る。例えば、これらの動作によって検出された拡張プリアンブルの信号プロパティが、Ｗｉ−Ｆｉプリアンブルに一致し得るので、Ｗｉ−Ｆｉデバイスは、Ｗｉ−Ｆｉプリアンブルを検出するために使用された同じ技法（例えば、自己相関または相互相関）を使用して拡張プリアンブルを検出し得る。Ｗｉ−Ｆｉデバイスは、それに応じてそれらの動作を調整し得る。例えば、Ｗｉ−Ｆｉデバイスは、バックオフ期間に入り得るか、あるいは共有媒体のための競合手順を中止し得る。ＬＴＥ−Ｕデバイス、ＵＥ１１５−ｂ、および基地局１０５−ａは、同様に拡張プリアンブルを受信し、検出し得る。ＬＴＥ−Ｕデバイスは、次いで、ＬＴＥ−Ｕデバイスによって送信されたものとして拡張プリアンブルを識別する特性を検出するために拡張プリアンブルをさらに処理し得る。受信ＬＴＥ−Ｕデバイスは、受信されたＷｉ−Ｆｉプリアンブルが、実際は、拡張Ｗｉ−Ｆｉプリアンブルであると決定し、プリアンブルが別のＬＴＥ−Ｕデバイス（例えば、ＵＥ１１５−ａ）から送信されたと決定するために特性を使用し得る。受信ＬＴＥ−Ｕデバイスは、さらに、デバイスタイプ、事業者、キャリア情報、デバイス識別情報など、送信デバイスに関連する他のＬＴＥ−Ｕ固有の情報を決定するために特性を使用し得る。いくつかのＷｉ−Ｆｉデバイスは、受信されたプリアンブルがＬＴＥ−Ｕデバイスによって送信されたと決定し、決定を、例えば、送信のさらなる処理を回避するか、または干渉消去を行うために使用するために特性を検出するように構成され得る。
【００４８】
[0059]  図３Ａに、本開示の様々な態様による、共存のための拡張送信３００−ａの一例を示す。拡張パケット送信３００−ａは、図１〜図２を参照しながら上述したＵＥ１１５と基地局１０５との間の送信の態様を示し得る。拡張パケット送信３００−ａは、拡張プリアンブル３２５とペイロード３２０とを含み得る。拡張プリアンブル３２５は、ショートトレーニングフィールド（ＳＴＦ）３０５と、ロングトレーニングフィールド（ＬＴＦ）３１０と、信号（ＳＩＧ）フィールド３１５とを含み得る。場合によっては、拡張プリアンブルは、ＳＴＦ３０５、ＬＴＦ３１０、およびＳＩＧフィールド３１５の後にくる追加のＳＴＦ、ＬＴＦ、およびＳＩＧフィールドを含み得る。例えば、高スループットプリアンブルは、ＨＴ−ＳＴＦ、ＨＴ−ＬＴＦ、およびＨＴ−ＳＩＧフィールド（例えば、８０２．１１ｎ）を含み得る。
【００４９】
[0060]  一例では、ＵＥ１１５または基地局１０５などのＬＴＥ−Ｕデバイスは、拡張プリアンブル３２５を取得するためにＷＬＡＮプリアンブルのフィールドを生成し得る。場合によっては、ＵＥ１１５は、ＳＴＦ３０５とＬＴＦ３１０との間に位相シフト３４０を生成することによって拡張プリアンブル３２５を生成し得る。ＵＥ１１５は、ＬＴＦ３１０に関してＳＴＦ３０５をシフトし得、またその逆も同様である。場合によっては、位相シフト３４０は、１８０度シフトであり得るが、他の位相シフト（例えば、４５、９０、１３５など）も使用され得る。ＵＥ１１５は、拡張プリアンブル３２５を含む拡張パケット送信３００−ａを送信し得る。他のＬＴＥ−Ｕデバイスと、ＳＴＡ１５５またはＡＰ１５０などのＷＬＡＮデバイスとは、拡張パケット送信３００−ａを受信し、それをＷＬＡＮパケット送信として識別し得る。位相シフト３４０を適用することは、ＳＴＦキャリア間隔またはＳＴＦの繰返し性質に影響を及ぼさない（例えば、エンハンスプリアンブルの自己相関特性が保持される）ので、ＷＬＡＮデバイスは、ＷＬＡＮパケット送信として拡張パケット送信３００−ａを識別し得るＷＬＡＮプリアンブル検出技法（例えば、図１において説明した自己相関技法など）を使用し続け得る。
【００５０】
[0061]  但し、ＬＴＥ−Ｕデバイスは、さらに、ＳＴＦ３０５とＬＴＦ３１０との間に位相シフト３４０を検出し、拡張パケット送信３００−ａが拡張プリアンブル３２５を含むと決定し得る。従って、ＬＴＥ−Ｕデバイスは、拡張パケット送信３００−ａがＬＴＥ−Ｕデバイスによって送信されたと決定し得る。ＬＴＥ−Ｕデバイスは、さらに、ＳＴＦ３０５とＬＴＦ３１０との間の異なる角度の位相シフトを識別することによってＬＴＥ−Ｕ固有の特性を決定し得る。各位相シフトは、デバイスタイプ、事業者、キャリア情報（例えば、送信が拡張コンポーネントキャリア（ｅＣＣ）を使用する場合など）などのＬＴＥ−Ｕプロパティに対応し得る。例えば、ある値（例えば、４５度）の位相シフトは、ＬＴＥ−Ｕ対応ＵＥ１１５からの送信に対応し得、一方、異なる位相シフト（例えば、９０度）は、基地局１０５からの送信を示し得る。
【００５１】
[0062]  図３Ｂに、本開示の様々な態様による、共存のための拡張パケット送信３００−ｂの一例を示す。拡張パケット送信３００−ｂは、図１〜図２を参照しながら上述したＵＥ１１５と基地局１０５との間の送信の態様を示し得る。拡張パケット送信３００−ｂは、拡張プリアンブル３２５−ａとペイロード３２０とを含み得る。拡張プリアンブル３２５−ａは、拡張ＳＴＦ（Ｅ−ＳＴＦ）３３０と、ＬＴＦ３１０−ａと、ＳＩＧフィールド３１５とを含み得る。場合によっては、拡張プリアンブルは、ＳＴＦ３０５、ＬＴＦ３１０、およびＳＩＧフィールド３１５の後にくる追加のＳＴＦ、ＬＴＦ、およびＳＩＧフィールドを含み得る。
【００５２】
[0063]  一例では、ＵＥ１１５または基地局１０５などのＬＴＥ−Ｕデバイスは、拡張プリアンブル３２５−ａを取得するためにＷＬＡＮプリアンブルのフィールドを生成し得る。上述したように、ＳＴＦフィールドは、周波数領域シーケンスをサブキャリアのサブセットにマッピングして生成され、ＮポイントＩＦＦＴを使用して時間領域に変換され得る。Ｅ−ＳＴＦ３３０は、ＬＴＥ−Ｕを示す周波数領域シーケンスまたはサブキャリアマッピングを選択することによって生成され得る。周波数領域シーケンスまたはサブキャリアマッピングは、異なる周波数領域シーケンスおよびサブキャリアマッピングがレガシープリアンブル（例えば、Ｗｉ−Ｆｉデバイスによって送信されたプリアンブル）のために使用されたということによってＬＴＥ−Ｕを示し得る。例えば、サブキャリアマッピングは、マッピングされたシンボル間に同様のサブキャリア間隔を使用し得るが、周波数（例えば、サブキャリア）オフセットを有し得る。周波数領域シーケンスは、レガシーシーケンスに関してシーケンスのシンボルを反転することか、レガシーシーケンスに関してシーケンスを循環シフトすることか、またはレガシーシーケンスのいくつかの周波数または時間領域プロパティを保持し得る他の技法によって、レガシーシーケンスに関して変更され得る。
【００５３】
[0064]  ＵＥ１１５は、拡張プリアンブル３２５−ａを取得するために、Ｅ−ＳＴＦ３３０に拡張周波数領域シーケンスまたはサブキャリアマッピングを適用し得る。ＵＥ１１５は、ＬＴＥ−Ｕ固有の特性を伝達するために一意のシーケンスおよびトーンマッピングを使用し得る。周波数領域シーケンスは、ＮポイントＩＦＦＴを使用して時間領域に変換されるとき、Ｌ−ＳＴＦの様々なプロパティを維持し得る。例えば、変更された周波数領域シーケンスは、各々が０．８μｓの周期性をもつ１０回のシンボル繰返しを含む時間領域シーケンスを生成し得る。このようにして、ＷＬＡＮプリアンブルを検出するためにＷＬＡＮデバイスによって使用される様々な検出技法はまた、Ｅ−ＳＴＦ（例えば、自己相関、相互相関、周波数領域エネルギー検出など）を検出し得る。
【００５４】
[0065]  ＵＥ１１５は、拡張プリアンブル３２５−ａを含む拡張パケット送信３００−ｂを送信し得る。他のＬＴＥ−Ｕデバイスと、ＳＴＡ１５５またはＡＰ１５０などのＷＬＡＮデバイスとは、上記の検出技法を使用して拡張パケット送信３００−ｂを受信し、それをＷＬＡＮパケット送信として識別し得る。但し、ＬＴＥ−Ｕデバイスは、さらに、拡張シーケンスまたはトーンマッピングを検出し、拡張パケット送信３００−ｂが拡張プリアンブル３２５−ａを含むと決定し得る。従って、ＬＴＥ−Ｕデバイスは、拡張パケット送信３００−ｂがＬＴＥ−Ｕデバイスによって送信されたと決定し得、追加のＬＴＥ−Ｕ固有の特性を識別し得る。例えば、あるシーケンスは、ＵＥ１１５からの送信に対応し得、あるトーンマッピングは、基地局１０５からの送信に対応し得、トーンマッピングとシーケンスとのある組合せは、ｅＣＣに対応し得るなどがある。追加または代替として、同様の技法がＬＴＦ３１０−ａに適用され得る。いくつかの例では、Ｅ−ＳＴＦ３３０は、図３Ａに関して上述した変更されたシーケンスまたはトーンマッピングに加えてＬＴＦ３１０−ａに関して位相シフトされ得る。
【００５５】
[0066]  図３Ｃに、本開示の様々な態様による、共存のための拡張パケット送信３００−ｃの一例を示す。拡張パケット送信３００−ｃは、図１〜図２を参照しながら上述したＵＥ１１５と基地局１０５との間の送信の態様を示し得る。拡張パケット送信３００−ｃは、拡張プリアンブル３２５−ｂとペイロード３２０とを含み得る。拡張プリアンブル３２５は、追加のＳＴＦ（ＳＴＦ’３３５）と、ＳＴＦ３０５−ｂと、ＬＴＦ３１０−ｂと、ＳＩＧフィールド３１５とを含み得る。場合によっては、拡張プリアンブルは、ＳＴＦ３０５、ＬＴＦ３１０、およびＳＩＧフィールド３１５の後にくる追加のＳＴＦ、ＬＴＦ、およびＳＩＧフィールドを含み得る。
【００５６】
[0067]  一例では、ＵＥ１１５または基地局１０５などのＬＴＥ−Ｕデバイスは、拡張プリアンブル３２５−ｂを取得するためにＷＬＡＮプリアンブルを生成し得る。場合によっては、ＵＥ１１５は、拡張プリアンブル３２５−ｂを取得するためにＷＬＡＮパケットにＳＴＦ’３３５を追加することによってＷＬＡＮパケットを生成し得る。ＳＴＦ’３３５は、ＳＴＦ波形と同様の時間繰返しシーケンスを含み得る。但し、ＵＥ１１５は、ＳＴＦ’３３５を取得するためにＳＴＦ波形の期間の１／２以下である間隔でＳＴＦ波形を反転させ得る。例えば、ＵＥ１１５は、０．４μｓごとにＳＴＦ波形を反転させ得る。従って、０．８μｓのシンボル期間に従ってプリアンブルを自己相関するＷＬＡＮデバイスは、ＳＴＦ’３３５中にほとんどエネルギーを経験しないことがある。ＵＥ１１５は、拡張プリアンブル３２５−ｂを含む拡張パケット送信３００−ｃを送信し得る。他のＬＴＥ−Ｕデバイスと、ＳＴＡ１５５またはＡＰ１５０などのＷＬＡＮデバイスとは、拡張パケット送信３００−ｃを受信し、それをＷＬＡＮパケットとして識別し得る。ＳＴＦ３０５−ｂとＬＴＦ３１０−ｂとが不変であり、ＳＴＦ’３３５が、ＷＬＡＮデバイスに検出不可能であり得るので、ＷＬＡＮデバイスは、ＷＬＡＮプリアンブルＷＬＡＮデバイスが、ＷＬＡＮパケット送信として拡張パケット送信３００−ａを識別し得るＷＬＡＮプリアンブル検出技法（例えば、自己相関など）を使用し続け得ることを検出し得る。但し、ＬＴＥ−Ｕデバイスは、さらに、ＳＴＦ’３３５を探索し、検出し、拡張パケット送信３００−ｃが拡張プリアンブル３２５−ｂを含むと決定し得る。従って、ＬＴＥ−Ｕデバイスは、拡張パケット送信３００−ｃがＬＴＥ−Ｕデバイスによって送信されたと決定し得、さらに、追加のＬＴＥ−Ｕ固有の特性を決定し得る。例えば、ＳＴＦ’３３５は、図３Ａを参照しながら上述したＬＴＥ−Ｕ固有の特性を通信するために、後続のトレーニングフィールド、ＳＴＦ３０５−ｂまたはＬＴＦ３１０−ｂの一方または両方に関する異なる角度の位相シフトを用いて送信され得る。さらに、一意のシーケンスおよびトーンマッピングは、図３Ｂを参照しながら上述したＬＴＥ−Ｕ固有の特性を通信するためにＳＴＦ’３３５に適用され得る。
【００５７】
[0068]  拡張パケット送信３００−ａ、３００−ｂ、および３００−ｃを生成するために使用される技法は、拡張パケットを生成するために単独でまたは組み合わせて使用され得る。例えば、図３Ａに示した位相シフト３４０などの位相シフトは、ＬＴＦ３１０−ａなどの別のプリアンブルフィールドに関して図３ＢのＥ−ＳＴＦ３３０に適用され得る。位相シフトはまた、ＳＴＦ３０５−ｂまたはＬＴＦ３１０−ｂなどの別のプリアンブルフィールドに関して図３ＣのＳＴＦ’３３５に適用され得る。同様に、Ｅ−ＳＴＦ３３０を生成するために使用されたものなど、一意のシーケンスまたはトーンマッピングがＳＴＦ’３３５に適用され得る。別の事例では、ＳＴＦ’３３５などの追加のプリアンブルフィールドは、拡張プリアンブル３２５または３２５−ａに適用され得る。例えば、拡張プリアンブル３２５は、ＳＴＦ３０５とＬＴＦ３１０との間の位相シフト３４０を維持しながら、追加のプリアンブルフィールドを有し得る。同様に、拡張プリアンブル３２５−ａは、Ｅ−ＳＴＦ３３０を生成するために使用される変更(modification)に加えて、追加のプリアンブルフィールドを有し得る。いくつかの例では、様々な技法（例えば、位相シフト、シーケンスまたはトーンマッピング、追加のプリアンブルフィールドなど）が、ＬＴＥ−Ｕ送信機の異なる特性に関連付けられ得る。追加または代替として、これらの技法を組み合わせることは、検出可能性を増加させるか、またはＬＴＥ−Ｕ特性を検出するための冗長性を与え得る。従って、説明のために特定の例を与えたが、図３Ａ、図３Ｂ、または図３Ｃに関して説明したプリアンブル生成のための技法は、送信エンティティに関連する同じまたは異なる情報または特性を伝達するために任意の組合せで使用され得る。
【００５８】
[0069]  特性の検出について、ＬＴＥ−Ｕデバイスによって行われるものとして図３Ａ〜図３Ｃを参照しながら説明したが、特性の検出は、おそらくＷＬＡＮデバイスによって行われた。例えば、Ｗｉ−Ｆｉデバイスは、受信された拡張プリアンブルがＬＴＥ−Ｕデバイスによって送信されたと決定し、決定を、ＬＴＥ−Ｕデバイスからの関連する送信のさらなる処理を回避するか、または干渉消去を行うために使用し得る。
【００５９】
[0070]  図４に、本開示の様々な態様による、共存のための送信タイミング４００の一例を示す。送信タイミング４００に、ＵＥ１１５からの拡張プリアンブルの送信の態様を示し得る。ＬＴＥ−Ｕタイミング構造は、フレームと、サブフレームと、シンボル４０５とを含み得る。フレームは、１０個のサブフレームを含み得、サブフレームは、２つのスロットを含み得、スロットは、オブ６つまたは７つのシンボルを含み得る。シンボル４０５期間は、約６７μｓであり得る。ＷＬＡＮシンボルは、著しくより短い期間（例えば、０．８μｓ）で送信され得、８μｓのＳＴＦと、８μｓのＬＴＦと、４μｓのＳＩＧフィールドとを含むＷＬＡＮプリアンブル４２５は、時間的に２０μｓであり得る。ＷＬＡＮプリアンブル４２５は、図３Ａ〜図３Ｃに関する拡張プリアンブル３２５−ａ、３２５−ｂ、または３２５−ｃの一例であり得る。
【００６０】
[0071]  従って、ＷＬＡＮプリアンブル４２５は、ＬＴＥ−Ｕシンボル４０５期間内に送信され得る。従って、ＵＥ１１５または基地局１０５などのＬＴＥ−Ｕデバイスは、ＬＴＥ／ＬＴＥ−Ｕネットワークのシンボル、スロット、サブフレーム、またはフレーム境界とＷＬＡＮプリアンブル４２５のフィールドの開始または終了を整合させ(align)得る。場合によっては、ＵＥ１１５は、ＬＴＥ／ＬＴＥ−Ｕタイミング境界とＳＴＦ、ＬＴＦ、またはＳＩＧフィールドの開始または終了を整合させ得る。ＵＥ１１５は、整合されたＷＬＡＮプリアンブル４２５を送信し得る。他のＬＴＥ−Ｕデバイスと、ＳＴＡ１５５またはＡＰ１５０などのＷＬＡＮデバイスとは、図３Ａ〜図３Ｂを参照しながら上述したように、ＷＬＡＮパケットを受信し得る。他のＬＴＥ−Ｕデバイスは、ＷＬＡＮプリアンブル４２５がＬＴＥ−Ｕタイミング境界と整合されていることを検出し得る。ＬＴＥ−Ｕデバイスは、ＷＬＡＮパケットがＬＴＥ−Ｕデバイスによって送信されたと決定するために整合を使用し得る。場合によっては、拡張プリアンブルの整合は、追加のＬＴＥ−Ｕ特性を伝達し得る。例えば、デバイスは、どのプリアンブルフィールドがＬＴＥ−Ｕタイミング境界に対応するのかに基づいてＬＴＥ−Ｕ特性を決定し得る。一例では、ＬＴＦの開始とＬＴＥシンボル期間との間の整合は、ＬＴＥ−Ｕ対応ＵＥ１１５からの送信に対応し得る。
【００６１】
[0072]  上述したように、図３Ａ〜図３Ｃの拡張プリアンブルは、拡張プリアンブルを生成するために単独でまたは組み合わせて使用され得る。これらの技法の各々およびこれらの技法の各組合せは、同様に、拡張ＷＬＡＮプリアンブル４２５のために使用される整合技法と組み合わされ得る。例えば、拡張プリアンブル３２５、３２５−ａ、または３２５−ｂなどの拡張パケットのプリアンブルフィールドの開始または終了は、ＬＴＥ／ＬＴＥ−Ｕタイミング境界と整合され得、異なる整合は、送信エンティティに関連する同じまたは異なる情報または特性を伝達し得る。
【００６２】
[0073]  図５に、本開示の様々な態様による、共存のための拡張プリアンブル波形のために構成されたワイヤレスデバイス５００のブロック図を示す。ワイヤレスデバイス５００は、図１〜図４を参照しながら説明した、ＵＥ１１５、ＳＴＡ１５５、または基地局１０５などのデバイスの態様の一例であり得る。ワイヤレスデバイス５００は、共存プリアンブル発生器５４５と、時間領域プロセッサ５２５と、送信機５３５とを含み得る。ワイヤレスデバイス５００はプロセッサをも含み得る。これらの構成要素の各々は互いに通信していることがある。ワイヤレスデバイス５００は、認可および無認可スペクトルを介した通信をサポートし得る。ワイヤレスデバイス５００は、１つまたは複数のデバイスが第１のＲＡＴ（例えば、Ｗｉ−Ｆｉ）および／または第２のＲＡＴ（例えば、ＬＴＥ−Ｕ）を使用して通信する環境で動作し得る。
【００６３】
[0074]  共存プリアンブル発生器５４５は、第１のトレーニングフィールド生成器５０５と第２のトレーニングフィールド生成器５１０とを含み得る。第１のトレーニングフィールド生成器５０５は、プリアンブル信号のための第１のトレーニングフィールド（例えば、ＳＴＦ）を生成し得る。第１のトレーニングフィールド生成器５０５は、時間領域プロセッサ５２５に第１のトレーニングフィールド信号５１５−ａをパスし得る。第２のトレーニングフィールド生成器５１０は、プリアンブル信号のための第２のトレーニングフィールド（例えば、ＬＴＦ）を生成し得る。このようにして、第２のトレーニングフィールド生成器５１０は、時間領域プロセッサ５２５に第２のトレーニングフィールド信号５１５−ｂをパスし得る。第１および／または第２のトレーニングフィールドは、第１のＲＡＴを採用するデバイスによる検出に関連付けられる信号プロパティを有し得る。第１および／または第２のトレーニングフィールドはまた、第２のＲＡＴに関連付けられる少なくとも１つの特性を伝達し得る。時間領域プロセッサ５２５は、本明細書で説明するように、拡張プリアンブルを生成するために第１および第２のトレーニングフィールド信号の組合せおよび／またはフィルタ処理などの時間領域処理を行い得る。
【００６４】
[0075]  送信機５３５は、出力信号５２０を受信し、拡張プリアンブル波形５４０を送信し得る。拡張プリアンブル波形５４０は、（出力信号５２０から導出された）拡張プリアンブルと、ペイロードとを含み得る。いくつかの例では、送信機５３５は、トランシーバモジュール中で受信機とコロケートされ得る。送信機５３５は、単一のアンテナを含み得るか、または複数のアンテナを含み得る。いくつかの例では、送信機５３５は、第２のＲＡＴによって共有される周波数チャネルを介して拡張プリアンブル波形５４０を送信し得る。
【００６５】
[0076]  図６に、本開示の様々な態様による、共存のための拡張プリアンブル波形のためのワイヤレスデバイス６００のブロック図を示す。ワイヤレスデバイス６００は、図１〜図５を参照しながら説明した、ワイヤレスデバイス５００あるいはＵＥ１１５または基地局１０５などのデバイスの態様の一例であり得る。ワイヤレスデバイス５００は、１つまたは複数のデバイスが第１のＲＡＴ（例えば、Ｗｉ−Ｆｉ）および／または第２のＲＡＴ（例えば、ＬＴＥ−Ｕ）を使用して通信する環境で動作し得る。ワイヤレスデバイス６００は、第１のトレーニングフィールド生成器５０５−ａと、第２のトレーニングフィールド生成器５１０−ａと、追加のフィールド生成器６４０と、時間領域プロセッサ５２５−ａとを含み得る。ワイヤレスデバイス６００はプロセッサをも含み得る。これらの構成要素の各々は互いに通信していることがある。
【００６６】
[0077]  第１のトレーニングフィールド生成器５０５−ａは、図５を参照しながら説明した第１のトレーニングフィールド生成器５０５の一例であり得、第２のトレーニングフィールド生成器５１０−ａは、第２のトレーニングフィールド生成器５１０の一例であり得る。第１のトレーニングフィールド生成器５０５−ａは、拡張プリアンブルのための第１のトレーニングフィールド信号６４５−ａ（例えば、ＳＴＦまたはＬＴＦ）を生成し得、第２のトレーニングフィールド生成器５１０−ａは、第２のトレーニングフィールド信号６４５−ｂ（例えば、ＳＴＦまたはＬＴＦ）を生成し得る。第１のトレーニングフィールド生成器５０５−ａと第２のトレーニングフィールド生成器５１０−ａとはそれぞれ、シーケンスマネージャ６０５と、トーンマッパー６１５と、ＩＦＦＴ６２５と、位相調整器６３５とを含み得る。
【００６７】
[0078]  シーケンスマネージャ６０５−ａは、第１のトレーニングフィールドのための第１のシーケンス（例えば、周波数領域シーケンス）を選択し得、シーケンスマネージャ６０５−ｂは、第２のトレーニングフィールドのための第２のシーケンスを選択し得る。いくつかの例では、シーケンスの一方または両方は、第２のＲＡＴに関連付けられ得る。シーケンスマネージャ６０５は、第１のＲＡＴを採用するデバイスによる検出に関連するシーケンスプロパティが保持されるように、それぞれのシーケンスを選択し得る。各シーケンスマネージャ６０５は、トーンマッパー６１５にそれのそれぞれの選択されたシーケンス６１０−ｂをパスし得る。トーンマッパー６１５−ａは、選択された第１のシーケンスをトーンの第１のセットにマッピングし得、トーンマッパー６１５−ａは、選択された第２のシーケンスをトーンの第２のセットにマッピングし得る。トーンマッパー６１５は、第１のＲＡＴを採用するデバイスによる検出に関連するトーンプロパティが保持されるように、トーンの各セットを選択し得る。トーンの第１および／または第２のセットが第２のＲＡＴに関連付けられ得る。周波数領域シーケンスまたはサブキャリアマッピングは、異なる周波数領域シーケンスおよびサブキャリアマッピングがレガシープリアンブル（例えば、Ｗｉ−Ｆｉデバイスによって送信されたプリアンブル）のために使用されたということによって第２のＲＡＴを示し得る。例えば、サブキャリアマッピングは、マッピングされたシンボル間に同様のサブキャリア間隔を使用し得るが、周波数（例えば、サブキャリア）オフセットを有し得る。周波数領域シーケンスは、非拡張シーケンスに関してシーケンスのシンボルを反転することか、非拡張シーケンスに関してシーケンスを循環シフトすることか、または非拡張シーケンスのいくつかの周波数または時間領域プロパティを保持し得る他の技法によって、非拡張シーケンスに関して変更され得る。
【００６８】
[0079]  トーンのセットにシーケンスをマッピングした後に、各トーンマッパー６１５は、ＩＦＦＴ６２５に、マッピングされたシーケンス６２０−ａをパスし得る。ＩＦＦＴ６２５−ａは、（例えば、ＮポイントＩＦＦＴを使用して）第１のマッピングされたシーケンスを時間領域に変換し得、ＩＦＦＴ６２５−ｂは、（例えばＮポイントＩＦＦＴを使用して）第２のマッピングされたシーケンスを時間領域に変換し得る。変換された時間領域トレーニングフィールド信号６３０−ａは、各ＩＦＦＴ６２５から対応する位相調整器６３５にパスされ得る。位相調整器６３５−ａは、第１の時間領域トレーニングフィールド信号のための位相を調整し得、位相調整器６３５−ｂは、第２の時間領域トレーニングフィールド信号のための位相を調整し得る。場合によっては、第１および第２の時間領域トレーニングフィールド信号のための位相は、第２のＲＡＴを示す方法で互いにオフセットされるように調整され得る。位相調整器６３５は、第１のＲＡＴを採用するデバイスによる検出に関連する位相プロパティが保持されるように、位相を調整し得る。図６中に特定の構成とともに示されているが、第１のトレーニングフィールド生成器の構成要素は、本開示の様々な態様に従って再配置および／または除去され得る。
【００６９】
[0080]  第１のトレーニングフィールド生成器５０５−ａは、時間領域プロセッサ５２５−ａに第１のトレーニングフィールド信号６４５−ａをパスし得、第２のトレーニングフィールド生成器５１０−ａは、時間領域プロセッサ５２５−ａに第２のトレーニングフィールド信号６４５−ｂをパスし得る。場合によっては、第３のトレーニングフィールド信号６４５−ｃが、追加のフィールド生成器６４０から時間領域プロセッサ５２５−ａにパスされ得る。第３のトレーニングフィールド信号６４５−ｃは、第２のＲＡＴを示し得、第１および第２のトレーニングフィールド信号６４５−ａ、６４５−ｂと同様の方法で生成され得る。第３のトレーニングフィールド信号６４５−ｃは、第１のトレーニングフィールド信号に関連するシンボル期間の１／２以下である間隔で逆符号を有する。時間領域プロセッサ５２５−ａは、マルチプレクサ６５０を使用してトレーニングフィールド信号６４５をプリアンブル信号に多重化し得る。場合によっては、時間領域プロセッサ５２５−ａは、（例えば、プリアンブルアライナー６５５を介して）第２のＲＡＴに関連するシンボル期間、サブフレーム期間、またはフレーム期間のうちの少なくとも１つと、プリアンブル信号のトレーニングフィールドのうちの１つの開始または終了を整合させ得る。
【００７０】
[0081]  このようにして、ワイヤレスデバイス６００は、プリアンブル信号の複数のトレーニングフィールドを生成し得る。プリアンブル信号は、第２のＲＡＴに関連付けられる少なくとも１つの特性を伝達し得る。トレーニングフィールドのうちの１つまたは複数は、第１のＲＡＴを採用するデバイスによる検出に関連付けられる信号プロパティを有し得る。
【００７１】
[0082]  図７に、本開示の様々な態様による、共有チャネル共存のための拡張プリアンブル波形処理のために構成されたワイヤレスデバイス７００のブロック図を示す。ワイヤレスデバイス７００は、図１〜図６を参照しながら説明したように、ＵＥ１１５、ＳＴＡ１５５、基地局１０５、ワイヤレスデバイス５００、またはワイヤレスデバイス５００などのデバイスの態様の一例であり得る。ワイヤレスデバイス７００は、受信機７０５と共存プリアンブル検出器７３５とを含み得る。ワイヤレスデバイス７００はプロセッサをも含み得る。共存プリアンブル検出器７３５は、プリアンブルモニタ７１５と、第１のＲＡＴ識別情報マネージャ７２５と、第２のＲＡＴ検出マネージャ７３０とを含み得る。これらの構成要素の各々は互いに通信していることがある。ワイヤレスデバイス７００は、認可、無認可および／または共有スペクトルを介した通信をサポートし得る。ワイヤレスデバイス７００は、１つまたは複数のデバイスが第１のＲＡＴ（例えば、Ｗｉ−Ｆｉ）および／または第２のＲＡＴ（例えば、ＬＴＥ−Ｕ）を使用して通信する環境で動作し得る。
【００７２】
[0083]  受信機７０５は、パケット、ユーザデータ、または様々な情報チャネルに関連する制御情報（例えば、制御チャネル、データチャネル、および共存のための拡張プリアンブル波形に関係する情報など）などの情報を含み得る信号７０３を受信し得る。いくつかの例では、受信機７０５は、第１のＲＡＴと第２のＲＡＴとによって共有される周波数チャネルを介してプリアンブル信号を受信し得る。プリアンブル信号は、トレーニングフィールド（例えば、ＳＴＦなどの第１のトレーニングフィールドおよびＬＴＦなどの第２のトレーニングフィールド）の数を含み得る。プリアンブル信号は、第２のＲＡＴに関連付けられる少なくとも１つの特性を伝達し得る。トレーニングフィールドのうちの１つまたは複数は、第１のＲＡＴを採用するデバイスによる検出に関連付けられる信号プロパティを有し得る。プリアンブル信号７１０は、共存プリアンブル検出器７３５に（例えば、プリアンブルモニタ７１５に）パスされ、ワイヤレスデバイス７００の他の構成要素にパスされ得る。
【００７３】
[0084]  プリアンブルモニタ７１５は、プリアンブル信号７１０を受信し、第１のＲＡＴ識別情報マネージャ７２５と第２のＲＡＴ検出マネージャ７３０とにそれをパスする前にそれを処理し得る（例えば、それを多重分離し得る）。このようにして、第１のＲＡＴ識別情報マネージャ７２５と第２のＲＡＴ検出マネージャ７３０とは、処理されたプリアンブル信号７２０として表される、プリアンブル信号の処理されたバージョンを受信し得る。第１のＲＡＴ識別情報マネージャ７２５は、受信されたプリアンブル信号中で、第１のＲＡＴを採用するデバイスによる検出に関連付けられる信号プロパティを識別し得る。第２のＲＡＴ検出マネージャ７３０は、第２のＲＡＴに関連付けられるプリアンブル信号中で少なくとも１つの特性を検出し得る。このようにして、ワイヤレスデバイス７００は、受信されたプリアンブル信号を送信したデバイスが第２のＲＡＴに関連付けられると決定し得る。場合によっては、第２のＲＡＴ検出マネージャ７３０は、特性に少なくとも部分的に基づいて送信機デバイスに関連するデバイスタイプまたは事業者を識別し得る。
【００７４】
[0085]  図８に、本開示の様々な態様による、共有チャネル共存のための拡張プリアンブル波形処理のためのワイヤレスデバイス８００のブロック図を示す。ワイヤレスデバイス８００は、図１〜図７を参照しながら説明した、ワイヤレスデバイス５００、ワイヤレスデバイス６００、ワイヤレスデバイス７００、あるいはＵＥ１１５、ＳＴＡ１５５、または基地局１０５などのデバイスの態様の一例であり得る。ワイヤレスデバイス８００は、１つまたは複数のデバイスが第１のＲＡＴ（例えば、Ｗｉ−Ｆｉ）および／または第２のＲＡＴ（例えば、ＬＴＥ−Ｕ）を使用して通信する環境で動作し得る。ワイヤレスデバイス８００は、プリアンブルモニタ７１５−ａと、第１のＲＡＴ識別情報マネージャ７２５−ａと、第２のＲＡＴ検出マネージャ７３０−ａとを含み得る。ワイヤレスデバイス８００はプロセッサをも含み得る。これらの構成要素の各々は互いに通信していることがある。
【００７５】
[0086]  プリアンブルモニタ７１５は、デマルチプレクサ８０５を使用して、受信されたプリアンブル信号（例えば、第１のトレーニングフィールドと第２のトレーニングフィールドとを含む拡張プリアンブル信号）を多重分離し得る。多重分離されたプリアンブル信号８１０は、時間領域プロセッサ８１５にパスされ得、これは、さらに、第１のＲＡＴ識別情報マネージャ７２５−ａと第２のＲＡＴ検出マネージャ７３０−ａとに処理されたプリアンブル信号８２０をパスする前に、プリアンブル信号を処理し得る。第１のＲＡＴ識別情報マネージャ７２５−ａは、図１〜図４を参照しながら本明細書で説明したように、第１のＲＡＴを採用するデバイスによる検出に関連付けられる処理されたプリアンブル信号８２０中で信号プロパティを識別し得る。例えば、自己相関マネージャ８４５または相互相関マネージャ８５０は、プリアンブル信号を検出するためにプリアンブル信号の相関を行うか、またはそれの相関を評価し得る。
【００７６】
[0087]  第２のＲＡＴ検出マネージャ７３０−ａは、図１〜図４を参照しながら本明細書で説明したように、第２のＲＡＴに関連付けられるプリアンブル信号中で特性を検出し得る。例えば、トーン／シーケンス検出器８６０は、受信されたプリアンブル信号中で、第２のＲＡＴによって識別可能である第１のトレーニングフィールドおよび／または第２のトレーニングフィールドに関連するトレーニングシーケンスを識別し得る。トーン／シーケンス検出器８６０は、追加または代替として、受信されたプリアンブル信号中で、第２のＲＡＴによって識別可能である第１のトレーニングフィールドおよび／または第２のトレーニングフィールドに関連するトーンマッピングに対する変更(modification)を識別し得る。場合によっては、追加のフィールド検出器８５５は、受信されたプリアンブル信号中で、第２のＲＡＴに関連する第３のトレーニングフィールドを識別し得る。第３のトレーニングフィールドに関連する信号は、第１のトレーニングフィールドによって識別可能であるシンボル期間の因子である間隔で反転され得る。場合によっては、プリアンブル整合検出器８６５は、プリアンブル信号の開始および／または終了が第２のＲＡＴに関連するシンボル期間と整合されていることを検出し得る。このようにして、プリアンブル整合検出器８６５は、受信されたプリアンブル信号が、第２のＲＡＴに関連するシンボル期間と整合されていると決定することによって、プリアンブル信号に関連する送信機デバイスが第２のＲＡＴに関連付けられると決定し得る。いくつかの例では、位相シフト検出器８７０は、受信されたプリアンブル信号中で、第２のＲＡＴに関連するデバイスによる送信を示す第１のトレーニングフィールドと第２のトレーニングフィールドとの間の位相シフトを検出し得る。このようにして、ワイヤレスデバイス８００は、受信されたプリアンブル信号に関連する送信機デバイスが第２のＲＡＴに関連付けられると決定し得る。
【００７７】
[0088]  ワイヤレスデバイス５００、ワイヤレスデバイス６００、ワイヤレスデバイス７００、またはワイヤレスデバイス８００の構成要素は、適用可能な機能の一部または全部をハードウェアで行うように適応された少なくとも１つの特定用途向け集積回路（ＡＳＩＣ）を用いて、個々にまたはまとめて実施され得る。代替的に、それらの機能は、１つまたは複数の他の処理ユニット（またはコア）によって、少なくとも１つのＩＣ上で行われ得る。他の例では、当技術分野で知られている任意の様式でプログラムされ得る、他のタイプの集積回路（例えば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実施され得る。
【００７８】
[0089]  図９に、本開示の様々な態様による、共存のための拡張プリアンブル波形のために構成されたＵＥ１１５−ｃを含むシステム９００の図を示す。システム９００は、図１、図２、図５、および図６を参照しながら本明細書で説明したワイヤレスデバイス５００、ワイヤレスデバイス６００、ＵＥ１１５または基地局１０５の一例であり得るワイヤレスデバイス９５０を含み得る。ワイヤレスデバイス９５０は、図５〜図６を参照しながら説明した共存プリアンブル発生器５４５の一例であり得る共存プリアンブル発生器９１０を含み得る。ワイヤレスデバイス９５０は、通信を送信するための構成要素と通信を受信するための構成要素とを含む、双方向音声およびデータ通信のための構成要素をも含み得る。例えば、ワイヤレスデバイス９５０は、基地局１０５−ｂまたはＵＥ１１５−ｃと双方向に通信し得る。
【００７９】
[0090]  ワイヤレスデバイス９５０は、プロセッサ９０５と、（ソフトウェア（ＳＷ）９２０を含む）メモリ９１５と、トランシーバ９３５と、１つまたは複数のアンテナ９４０とをも含み得、その各々は、（例えば、バス９４５を介して）互いと直接または間接的に通信し得る。トランシーバ９３５は、上述したように、アンテナ９４０あるいはワイヤードリンクまたはワイヤレスリンクを介して、１つまたは複数のネットワークと双方向に通信し得る。例えば、トランシーバ９３５は、基地局１０５または別のＵＥ１１５と双方向に通信し得る。トランシーバ９３５は、パケットを変調し、変調されたパケットを送信のためにアンテナ９４０に与え、アンテナ９４０から受信されたパケットを復調するためのモデムを含み得る。ワイヤレスデバイス９５０は、単一のアンテナ９４０を含み得るが、ワイヤレスデバイス９５０はまた、複数のワイヤレス送信を同時に送信または受信することが可能な複数のアンテナ９４０を有し得る。
【００８０】
[0091]  メモリ９１５は、ランダムアクセスメモリ（ＲＡＭ）と、読取り専用メモリ（ＲＯＭ）とを含み得る。メモリ９１５は、実行されたとき、プロセッサ９０５に、本明細書で説明する様々な機能（例えば、共存のための拡張プリアンブル波形を生成することなど）を行うことをさせる命令を含むコンピュータ可読、コンピュータ実行可能ソフトウェア／ファームウェアコード９２０を記憶し得る。代替的に、ソフトウェア／ファームウェアコード９２０は、プロセッサ９０５によって直接的に実行可能でないことがあるが、（例えば、コンパイルされ実行されたとき）コンピュータに本明細書で説明される機能を行わせ得る。プロセッサ９０５は、インテリジェントハードウェアデバイス（例えば、中央処理ユニット（ＣＰＵ）、マイクロコントローラ、ＡＳＩＣなど）を含み得る。
【００８１】
[0092]  図１０に、本開示の様々な態様による、共存のための拡張プリアンブル波形のために構成されたワイヤレスデバイス１０５０を含むシステム１０００の図を示す。システム１０００は、図１、図２、図７、および図８を参照しながら本明細書で説明したワイヤレスデバイス７００、ワイヤレスデバイス８００、ＵＥ１１５、基地局１０５、ＳＴＡ１５５、またはＡＰ１５０の一例であり得るワイヤレスデバイス１０５０を含み得る。ワイヤレスデバイス１０５０は、図５〜図６を参照しながら説明した共存プリアンブル検出器７３５の一例であり得る共存プリアンブル検出器１０１０を含み得る。ワイヤレスデバイス１０５０は、通信を送信するための構成要素と通信を受信するための構成要素とを含む、双方向音声およびデータ通信のための構成要素をも含み得る。例えば、ワイヤレスデバイス１０５０は、基地局１０５−ｃまたはＵＥ１１５−ｄと双方向に通信し得る。
【００８２】
[0093]  ワイヤレスデバイス１０５０は、プロセッサ１００５と、（ソフトウェア（ＳＷ）１０２０を含む）メモリ１０１５と、トランシーバ１０３５と、１つまたは複数のアンテナ１０４０とをも含み得、その各々は、（例えば、バス１０４５を介して）互いと直接または間接的に通信し得る。トランシーバ１０３５は、上述したように、アンテナ１０４０あるいはワイヤードリンクまたはワイヤレスリンクを介して、１つまたは複数のネットワークと双方向に通信し得る。例えば、トランシーバ１０３５は、基地局１０５または別のＵＥ１１５と双方向に通信し得る。トランシーバ１０３５は、パケットを変調し、変調されたパケットを送信のためにアンテナ１０４０に与え、アンテナ１０４０から受信されたパケットを復調するためのモデムを含み得る。ワイヤレスデバイス１０５０は、単一のアンテナ１０４０を含み得るが、ワイヤレスデバイス１０５０はまた、複数のワイヤレス送信を同時に送信または受信することが可能な複数のアンテナ１０４０を有し得る。
【００８３】
[0094]  メモリ１０１５はＲＡＭおよびＲＯＭを含み得る。メモリ１０１５は、実行されたとき、プロセッサ１００５に、本明細書で説明する様々な機能（例えば、共存のための拡張プリアンブル波形を生成することなど）を行うことをさせる命令を含むコンピュータ可読、コンピュータ実行可能ソフトウェア／ファームウェアコード１０２０を記憶し得る。代替的に、ソフトウェア／ファームウェアコード１０２０は、プロセッサ１００５によって直接的に実行可能でないことがあるが、（例えば、コンパイルされ実行されたとき）コンピュータに本明細書で説明される機能を行わせ得る。プロセッサ１００５は、インテリジェントハードウェアデバイス（例えば、中央処理ユニット（ＣＰＵ）、マイクロコントローラ、ＡＳＩＣなど）を含み得る。プロセッサ１００５は、エンコーダ、キュー処理モジュール、ベースバンドプロセッサ、無線ヘッドコントローラ、デジタル信号プロセッサ（ＤＳＰ）など、様々な専用プロセッサを含み得る。
【００８４】
[0095]  図１１に、本開示の様々な態様による、共存のための拡張プリアンブル波形のための方法１１００を示すフローチャートを示す。方法１１００の動作は、図１〜図１０を参照しながら説明したように、ＵＥ１１５または基地局１０５またはそれの構成要素などのデバイスによって実施され得る。例えば、方法１１００の動作は、図５および図６を参照しながら説明したように、共存プリアンブル発生器５４５によって行われ得る。いくつかの例では、デバイスは、以下で説明する機能を行うようにデバイスの機能要素を制御するためのコードのセットを実行し得る。追加または代替として、デバイスは、専用ハードウェアを使用して、以下で説明する態様機能を行い得る。デバイスは、第１のＲＡＴ（例えば、ＷＬＡＮ）と第２のＲＡＴ（例えば、ＬＴＥ−Ｕ）とによって共有される周波数チャネルを含むシステム中で動作し得る。デバイスは、第２のＲＡＴを採用し得る。
【００８５】
[0096]  ブロック１１０５において、デバイスは、プリアンブル信号の複数のトレーニングフィールドを生成し得る。複数のトレーニングフィールドのうちの１つまたは複数は、第１のＲＡＴを採用するデバイスによる検出に関連付けられる信号プロパティを有し得る。プリアンブル信号は、図２〜図４を参照しながら本明細書で説明したように、第２のＲＡＴに関連付けられる少なくとも１つの特性を伝達し得る。いくつかの例では、ブロック１１０５の動作は、図５を参照しながら本明細書で説明したように、共存プリアンブル発生器５４５によって行われ得る。ブロック１１１０において、デバイスは、周波数チャネルを介してプリアンブル信号を送信する。いくつかの例では、ブロック１１１０の動作は、図６を参照しながら本明細書で説明したように、送信機５３５によって行われ得る。
【００８６】
[0097]  図１２に、本開示の様々な態様による、共存のための拡張プリアンブル波形のための方法１２００を示すフローチャートを示す。方法１２００の動作は、図１〜図１０を参照しながら説明したように、ＵＥ１１５、基地局１０５、ＳＴＡ１５５、ＡＰ１５０、またはそれの構成要素などのデバイスによって実施され得る。例えば、方法１２００の動作は、図７および図８を参照しながら説明したように、共存プリアンブル検出器７３５によって行われ得る。いくつかの例では、デバイスは、以下で説明する機能を行うようにデバイスの機能要素を制御するためのコードのセットを実行し得る。追加または代替として、デバイスは、専用ハードウェアを使用して、以下で説明する態様機能を行い得る。方法１２００はまた、図１１の方法１１００の態様を組み込み得る。デバイスは、第１のＲＡＴ（例えば、ＷＬＡＮ）と第２のＲＡＴ（例えば、ＬＴＥ−Ｕ）とによって共有される周波数チャネルを含むシステム中で動作し得る。
【００８７】
[0098]  ブロック１２０５において、デバイスは、第１のＲＡＴと第２のＲＡＴとによって共有される周波数チャネルを介してプリアンブル信号を受信し得る。プリアンブル信号は、複数のトレーニングフィールドを含み得る。複数のトレーニングフィールドのうちの１つまたは複数は、第１のＲＡＴを採用するデバイスによる検出に関連付けられる信号プロパティを有し得る。プリアンブル信号は、図２〜図４を参照しながら本明細書で説明したように、第２のＲＡＴに関連付けられる少なくとも１つの特性を伝達し得る。いくつかの例では、ブロック１２０５の動作は、図７を参照しながら本明細書で説明したように、受信機７０５またはプリアンブルモニタ７１５によって行われ得る。ブロック１２１０において、デバイスは、図２〜図４を参照しながら本明細書で説明したように、受信されたプリアンブル信号に関連する送信機デバイスが、受信されたプリアンブル信号中で、第１のＲＡＴを採用するデバイスによる検出に関連付けられる信号プロパティを識別することによって、および第２のＲＡＴに関連付けられる少なくとも１つの特性を検出することによって、第２のＲＡＴに関連付けられると決定し得る。いくつかの例では、ブロック１２１０の動作は、図７を参照しながら本明細書で説明したように共存プリアンブル検出器７３５によって行われ得る。
【００８８】
[0099]  このようにして、方法１１００および１２００は、共存のための拡張プリアンブル波形を提供し得る。方法１１００および１２００は可能な実施形態を記載し、動作およびステップは、他の実施形態が可能であるように、並べ替えられるかまたは場合によっては修正され得ることに留意されたい。いくつかの例では、方法１１００および１２００のうちの２つ以上からの態様が組み合わされ得る。
【００８９】
[0100]  添付の図面に関して上記に記載された詳細な説明は、例示的な構成について説明しており、実施され得るまたは特許請求の範囲内に入る全ての例を表すとは限らない。この説明全体にわたって使用される「例示的」という用語は、「例、事例、または例示の役目を果たすこと」を意味し、「好ましい」または「他の例よりも有利な」を意味しない。詳細な説明は、説明される技法の理解を与えるための具体的な詳細を含む。但し、これらの技法は、これらの具体的な詳細なしに実施され得る。いくつかの事例では、説明した例の概念を不明瞭にすることを回避するために、よく知られている構造とデバイスとをブロック図の形式で示す。
【００９０】
[0101]  情報および信号は、多種多様な技術および技法のいずれかを使用して表され得る。例えば、上の説明全体を通じて参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【００９１】
[0102]  本明細書の開示に関して説明した様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ（例えば、ＤＳＰとマイクロプロセッサとの組合せ、複数のマイクロプロセッサ、ＤＳＰコアと連携する１つもしくは複数のマイクロプロセッサ、または任意の他のそのような構成）として実施され得る。
【００９２】
[0103]  本明細書で説明した機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとしてコンピュータ可読媒体上に記憶されるか、またはコンピュータ可読媒体を介して送信され得る。他の例および実施形態は、本開示の範囲内および添付の特許請求の範囲内に入る。例えば、ソフトウェアの性質により、上述した機能は、プロセッサ、ハードウェア、ファームウェア、ハードワイヤリング、またはこれらのいずれかの組合せによって実行されるソフトウェアを使用して実施され得る。機能を実施する特徴はまた、異なる物理ロケーションにおいて機能の部分が実施されるように分散されることを含めて、様々な位置に物理的に配置され得る。また、特許請求の範囲を含め、本明細書で使用されるように、項目の列挙（例えば、「のうちの少なくとも１つ」または「のうちの１つまたは複数」などの句で終わる項目の列挙）内で使用される「または」は、例えば、［Ａ、Ｂ、またはＣのうちの少なくとも１つ]  の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９３】
[0104]  コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。さらに、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記のものの組合せもコンピュータ可読媒体の範囲内に含まれる。
【００９４】
[0105]  本開示の上記説明は、当業者が本開示を作成または使用することを可能にするために提供される。本開示の様々な変更(modifications)は当業者に対して直ちに明らかなはずであり、本明細書で定義される一般原理は、本開示の範囲から逸脱することなく他の変形形態に適用され得る。従って、本開示は、本明細書で説明した例および設計に限定されるべきでなく、本明細書で開示された原理および新規の特徴に合致する最も広い範囲を与えられるべきである。
【００９５】
[0106]  本明細書で説明した技法は、ＣＤＭＡ、時分割多元接続ＴＤＭＡ、周波数分割多元接続ＦＤＭＡ、直交周波数分割多元接続ＯＦＤＭＡ、シングルキャリアＦＤＭＡ（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭなどの無線技術を実施し得る。ＵＴＲＡおよびＥ−ＵＴＲＡはユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書において記載される技法は、上述のシステムおよび無線技術、ならびに他のシステムおよび無線技術に使用され得る。但し、上記の説明では、例としてＬＴＥシステムについて説明し、上記の説明の大部分においてＬＴＥ用語が使用されるが、本技法はＬＴＥ適用例以外に適用可能である。
以下に本願発明の当初の特許請求の範囲に記載された発明を付記する。
［Ｃ１］
第１の無線アクセス技術（ＲＡＴ）と第２のＲＡＴとによって共有される周波数チャネルを介したワイヤレス通信の方法であって、
前記第２のＲＡＴを採用するデバイスによって、プリアンブル信号の複数のトレーニングフィールドを生成することと、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記周波数チャネルを介して前記プリアンブル信号を送信することと
を備える、方法。
［Ｃ２］
前記少なくとも１つの特性が、前記複数のトレーニングフィールドの第１のトレーニングフィールドと第２のトレーニングフィールドとの間の位相シフトを備える、Ｃ１に記載の方法。
［Ｃ３］
前記少なくとも１つの特性が、前記複数のトレーニングフィールドの第１のトレーニングフィールドまたは第２のトレーニングフィールドのうちの少なくとも１つに関連するシーケンスまたはトーンマッピングのうちの少なくとも１つを備える、Ｃ１に記載の方法。
［Ｃ４］
前記複数のトレーニングフィールドを生成することが、
第１のトレーニングフィールドと、第２のトレーニングフィールドと、第３のトレーニングフィールドとを生成すること、ここにおいて、前記第３のトレーニングフィールドに関連する信号が、前記第１のトレーニングフィールドに関連するシンボル期間の１／２以下である間隔で逆符号を有する、を備える、Ｃ１に記載の方法。
［Ｃ５］
前記複数のトレーニングフィールドを生成することが、
前記第２のＲＡＴに関連するシンボル期間、サブフレーム期間、またはフレーム期間のうちの少なくとも１つと、前記複数のトレーニングフィールドの第１のトレーニングフィールドまたは第２のトレーニングフィールドのうちの少なくとも１つの開始または終了のうちの少なくとも１つを整合させること
を備える、Ｃ１に記載の方法。
［Ｃ６］
前記少なくとも１つの特性が、前記第２のＲＡＴに関連するデバイスタイプまたは事業者のうちの少なくとも１つを示す、Ｃ１に記載の方法。
［Ｃ７］
前記第１のＲＡＴが、ワイヤレスローカルエリアネットワーク（ＷＬＡＮ）ＲＡＴを備え、前記複数のトレーニングフィールドが、前記ＷＬＡＮ ＲＡＴのためのショートトレーニングフィールド（ＳＴＦ）とロングトレーニングフィールド（ＬＴＦ）とを備え、前記第２のＲＡＴが、ロングタームエボリューション（ＬＴＥ）ＲＡＴまたはＬＴＥ無認可（ＬＴＥ−Ｕ）ＲＡＴを備える、Ｃ１に記載の方法。
［Ｃ８］
ワイヤレス通信の方法であって、
第１の無線アクセス技術（ＲＡＴ）と第２のＲＡＴとによって共有される周波数チャネルを介してプリアンブル信号を受信することと、前記プリアンブル信号が、複数のトレーニングフィールドを備える、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記受信されたプリアンブル信号に関連する送信機デバイスが、前記受信されたプリアンブル信号中で、前記第１のＲＡＴを採用するデバイスによる検出に関連付けられる前記信号プロパティを識別することと、前記第２のＲＡＴに関連付けられる前記少なくとも１つの特性を検出することとによって、前記第２のＲＡＴに関連付けられると決定することと
を備える、方法。
［Ｃ９］
前記少なくとも１つの特性を検出することが、
前記受信されたプリアンブル信号中で、前記第２のＲＡＴによって識別可能である前記複数のトレーニングフィールドの第１のトレーニングフィールドと第２のトレーニングフィールドとの間の位相シフトを検出すること
を備える、Ｃ８に記載の方法。
［Ｃ１０］
前記少なくとも１つの特性が、前記第２のＲＡＴによって識別可能である前記複数のトレーニングフィールドの第１のトレーニングフィールドと第２のトレーニングフィールドとのうちの少なくとも１つに関連するシーケンスまたは前記第２のＲＡＴによって識別可能である前記第１のトレーニングフィールドと前記第２のトレーニングフィールドとのうちの少なくとも１つに関連するトーンマッピングのうちの少なくとも１つを備える、Ｃ８に記載の方法。
［Ｃ１１］
前記少なくとも１つの特性を検出することが、
前記受信されたプリアンブル信号中で、前記第１のＲＡＴに関連する前記複数のトレーニングフィールドの第１のトレーニングフィールドと第２のトレーニングフィールドとを識別することと、
前記受信されたプリアンブル信号中で、前記第２のＲＡＴに関連する前記複数のトレーニングフィールドの第３のトレーニングフィールドを識別することと、ここにおいて、前記第３のトレーニングフィールドに関連する信号が、前記第１のトレーニングフィールドによって識別可能であるシンボル期間の因子である間隔で反転される、
を備える、Ｃ８に記載の方法。
［Ｃ１２］
前記少なくとも１つの特性を検出することが、
前記プリアンブル信号の開始および終了のうちの少なくとも１つが前記第２のＲＡＴに関連するシンボル期間と整合されていることを検出すること、
ここにおいて、前記受信されたプリアンブル信号に関連する前記送信機デバイスが前記第２のＲＡＴに関連付けられると決定することは、前記プリアンブル信号が、前記第２のＲＡＴに関連する前記シンボル期間と整合されていると決定することを備える、
を備える、Ｃ８に記載の方法。
［Ｃ１３］
前記少なくとも１つの特性に少なくとも部分的に基づいて前記送信機デバイスに関連するデバイスタイプまたは事業者のうちの少なくとも１つを識別すること
をさらに備える、Ｃ８に記載の方法。
［Ｃ１４］
第１の無線アクセス技術（ＲＡＴ）と第２のＲＡＴとによって共有される周波数チャネルを介したワイヤレス通信のための装置であって、前記装置は前記第２のＲＡＴを採用し、
プリアンブル信号の複数のトレーニングフィールドを生成するための手段と、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記周波数チャネルを介して前記プリアンブル信号を送信するための手段と
を備える、装置。
［Ｃ１５］
前記少なくとも１つの特性が、前記複数のトレーニングフィールドの第１のトレーニングフィールドと第２のトレーニングフィールドとの間の位相シフトを備える、Ｃ１４に記載の装置。
［Ｃ１６］
前記少なくとも１つの特性が、前記複数のトレーニングフィールドの第１のトレーニングフィールドまたは第２のトレーニングフィールドのうちの少なくとも１つに関連するシーケンスまたはトーンマッピングのうちの少なくとも１つを備える、Ｃ１４に記載の装置。
［Ｃ１７］
前記複数のトレーニングフィールドを生成するための前記手段が、
第１のトレーニングフィールドと、第２のトレーニングフィールドと、第３のトレーニングフィールドとを生成するための手段、ここにおいて、前記第３のトレーニングフィールドに関連する信号が、前記第１のトレーニングフィールドに関連するシンボル期間の１／２以下である間隔で逆符号を有する、を備える、Ｃ１４に記載の装置。
［Ｃ１８］
前記複数のトレーニングフィールドを生成するための前記手段が、
前記第２のＲＡＴに関連するシンボル期間、サブフレーム期間、またはフレーム期間のうちの少なくとも１つと、前記複数のトレーニングフィールドの第１のトレーニングフィールドまたは第２のトレーニングフィールドのうちの少なくとも１つの開始または終了のうちの少なくとも１つを整合させるための手段
を備える、Ｃ１４に記載の装置。
［Ｃ１９］
前記少なくとも１つの特性が、前記第２のＲＡＴに関連するデバイスタイプまたは事業者のうちの少なくとも１つを示す、Ｃ１４に記載の装置。
［Ｃ２０］
前記第１のＲＡＴが、ワイヤレスローカルエリアネットワーク（ＷＬＡＮ）ＲＡＴを備え、前記複数のトレーニングフィールドが、前記ＷＬＡＮ ＲＡＴのためのショートトレーニングフィールド（ＳＴＦ）とロングトレーニングフィールド（ＬＴＦ）とを備え、前記第２のＲＡＴが、ロングタームエボリューション（ＬＴＥ）ＲＡＴまたはＬＴＥ無認可（ＬＴＥ−Ｕ）ＲＡＴを備える、Ｃ１４に記載の装置。
［Ｃ２１］
ワイヤレス通信のための装置であって、
第１の無線アクセス技術（ＲＡＴ）と第２のＲＡＴとによって共有される周波数チャネルを介してプリアンブル信号を受信するための手段と、前記プリアンブル信号が、複数のトレーニングフィールドを備える、ここにおいて、前記複数のトレーニングフィールドのうちの１つまたは複数が、前記第１のＲＡＴを採用するデバイスによる検出に関連付けられる信号プロパティを有する、およびここにおいて、前記プリアンブル信号が、前記第２のＲＡＴに関連付けられる少なくとも１つの特性を伝達する、
前記受信されたプリアンブル信号に関連する送信機デバイスが前記第２のＲＡＴに関連付けられると決定するための手段と、ここにおいて、決定するための前記手段が、
前記受信されたプリアンブル信号中で、前記第１のＲＡＴを採用するデバイスによる検出に関連付けられる前記信号プロパティを識別するための手段と、
前記第２のＲＡＴに関連付けられる前記少なくとも１つの特性を検出するための手段と
を備える、
を備える、装置。
［Ｃ２２］
検出するための前記手段が、前記受信されたプリアンブル信号中で、前記第２のＲＡＴによって識別可能である前記複数のトレーニングフィールドの第１のトレーニングフィールドと第２のトレーニングフィールドとの間の位相シフトを検出する、Ｃ２１に記載の装置。
［Ｃ２３］
前記少なくとも１つの特性が、前記第２のＲＡＴによって識別可能である前記複数のトレーニングフィールドの第１のトレーニングフィールドと第２のトレーニングフィールドとのうちの少なくとも１つに関連するシーケンスまたは前記第２のＲＡＴによって識別可能である前記第１のトレーニングフィールドと前記第２のトレーニングフィールドとのうちの少なくとも１つに関連するトーンマッピングのうちの少なくとも１つを備える、Ｃ２１に記載の装置。
［Ｃ２４］
検出するための前記手段が、
前記受信されたプリアンブル信号中で、前記第１のＲＡＴに関連する前記複数のトレーニングフィールドの第１のトレーニングフィールドと第２のトレーニングフィールドとを識別するための手段と、
前記受信されたプリアンブル信号中で、前記第２のＲＡＴに関連する前記複数のトレーニングフィールドの第３のトレーニングフィールドを識別するための手段と、ここにおいて、前記第３のトレーニングフィールドに関連する信号が、前記第１のトレーニングフィールドによって識別可能であるシンボル期間の因子である間隔で反転される、
をさらに備える、Ｃ２１に記載の装置。
［Ｃ２５］
検出するための前記手段が、前記プリアンブル信号の開始および終了のうちの少なくとも１つが前記第２のＲＡＴに関連するシンボル期間と整合されていることを検出し、
決定するための前記手段は、前記プリアンブル信号が、前記第２のＲＡＴに関連する前記シンボル期間と整合されていることに少なくとも部分的に基づいて前記受信されたプリアンブル信号に関連する前記送信機デバイスが前記第２のＲＡＴに関連付けられると決定する、Ｃ２１に記載の装置。
［Ｃ２６］
前記少なくとも１つの特性に少なくとも部分的に基づいて前記送信機デバイスに関連するデバイスタイプまたは事業者のうちの少なくとも１つを識別するための手段
をさらに備える、Ｃ２１に記載の装置。
【図１】
0006728217.tif 000002
【図２】
0006728217.tif 000003
【図３Ａ】
0006728217.tif 000004
【図３Ｂ】
0006728217.tif 000005
【図３Ｃ】
0006728217.tif 000006
【図４】
0006728217.tif 000007
【図５】
0006728217.tif 000008
【図６】
0006728217.tif 000009
【図７】
0006728217.tif 000010
【図８】
0006728217.tif 000011
【図９】
0006728217.tif 000012
【図１０】
0006728217.tif 000013
【図１１】
0006728217.tif 000014
【図１２】
0006728217.tif 000015